(57)【要約】  閉鎖機構によって密封された開口を有する外シェルを有する容器装置。閉鎖機構は、開口を部分的にまたは全体的に密封するように構成された磁気ストリップを含むことができる。
2020509817.tif 000002
【特許請求の範囲】
【請求項１】
容器であって、
耐水性材料から形成され、前部、後部、側部、および基部を有する外シェルを備え、前記外シェルが、さらに、
収納区画内に延びており、完全に開放したときに実質的に直線形状を有し、前面、背面、第１の側面、および第２の側面を有する、前記容器の上部にある開口と、
閉鎖機構とを備え、前記閉鎖機構が、さらに、
前記開口を密封するように開放構成と閉鎖構成との間で折り畳まれるように構成された折り畳み式磁気カラーを備え、前記折り畳み式磁気カラーが、さらに、
前記開口の前記前面の第１の端部と第２の端部との間に直線的に延びる前面カラー部材であって、前記開口の背面に向かって延びる突起を有し、第１の磁気表面が前記開口の前記背面に面し、前記突起によって第３の磁気表面から離間した第２の磁気表面をさらに備える前面カラー部材と、
前記開口の前記背面の第１の端部と第２の端部との間に直線的に延びる背面カラー部材であって、前記開口の前記前面に向かって延びる突起を有し、第１の磁気表面が前記開口の前記前面に面し、前記突起によって第３の磁気表面から離間した第２の磁気表面をさらに備える背面カラー部材と、
前記開口の前記第１の側面に沿って延び、前記前面カラー部材の前記第１の端部および前記背面カラー部材の前記第１の端部にヒンジ結合され、第１の磁気要素と第２の磁気要素とを分離する中央ヒンジをさらに備える第１の側面カラー部材と、
前記開口の前記第２の側面に沿って延び、前記前面カラー部材の前記第２の端部および前記背面カラー部材の前記第２の端部にヒンジ結合され、第１の磁気要素と第２の磁気要素とを分離する中央ヒンジをさらに備える第２の側面カラー部材とを備え、
前記開口が完全に開放しているとき、前記前面カラー部材、前記背面カラー部材、前記第１の側面カラー部材、および前記第２の側面カラー部材が、実質的に直線的な構成で配置され、
折り畳まれると、前記第１の側面カラー部材の前記中央ヒンジが、前記第１の側面カラー部材の前記第１の磁気要素および第２の磁気要素を互いにヒンジで接触させ、前記第１の側面カラー部材の前記前面カラー部材の前記第１の端部へのヒンジ結合および前記背面カラー部材の前記第１の端部へのヒンジ結合が、前記第１の側面カラー部材の前記第１の磁気要素および第２の磁気要素をヒンジで前記前面カラー部材の前記第２の磁気表面および前記背面カラー部材の前記第２の磁気表面と接触させ、
折り畳まれると、前記第２の側面カラー部材の前記中央ヒンジが、前記第２の側面カラー部材の前記第１の磁気要素および第２の磁気要素をヒンジで互いに接触させ、前記第２の側面カラー部材の前記前面カラー部材の前記第２の端部へのヒンジ結合および前記背面カラー部材の前記第２の端部へのヒンジ結合が、前記第２の側面カラー部材の前記第１の磁気要素および第２の磁気要素をヒンジで前記前面カラー部材の前記第３の磁気表面および前記背面カラー部材の前記第３の磁気表面と接触させ、
折り畳まれると、前記第１の側面カラー部材の前記中央ヒンジおよび前記第２の側面カラー部材の前記中央ヒンジが、前記前面カラー部材の前記第１の磁気表面および前記第２の磁気表面をヒンジで前記背面カラー部材のそれぞれの前記第１の磁気表面および前記第２の磁気表面と接触させる、容器。
【請求項２】
前記収納区画が断熱容器である、請求項１に記載の容器。
【請求項３】
前記収納区画を形成する内側ライナーをさらに備える、請求項１に記載の容器。
【請求項４】
前記外シェルと前記内側ライナーとの間に配置された断熱層をさらに備え、前記断熱層が、前記収納区画に断熱を付与する、請求項３に記載の容器。
【請求項５】
前記断熱層が、前記内側ライナーと前記外シェルとの間に浮いている、請求項４に記載の容器。
【請求項６】
前記断熱層が、前記内側ライナーまたは前記外シェルの少なくとも一方に取り付けられている、請求項４に記載の容器。
【請求項７】
前記外シェルが、一体に溶接された２つ以上のサブパネルを備える、請求項１に記載の容器。
【請求項８】
前記閉鎖機構が、前記閉鎖構成にあるとき、実質的に防水および気密になるように構成されている、請求項１に記載の容器。
【請求項９】
容器であって、
耐水性材料から形成され、前部、後部、側部、および基部を有する外シェルを備え、前記外シェルが、さらに、
収納区画に延びる前記容器の上部にある開口と、
閉鎖機構とを備え、前記閉鎖機構が、さらに、
長手方向軸に沿って延び且つ前記開口の第１の側面に結合された第１の磁気ストリップであって、前記長手方向軸に沿って離間した第１の磁石および第２の磁石を有する第１の磁気ストリップと、
長手方向軸に沿って延びる第２の磁気ストリップであって、前記長手方向軸に沿って離間した第１の磁石および第２の磁石を有する第２の磁気ストリップと、
長手方向軸に沿って延び且つ前記開口の第２の側面に結合されたレールとを備え、
前記第２の磁気ストリップが、前記第２の磁気ストリップが前記レールに対してスライド可能であり、前記第２の磁気ストリップの前記長手方向軸が前記レールの前記長手方向軸に平行であるように、前記レールにスライド可能に結合され、
前記第１の磁気ストリップの前記第１の磁石および第２の磁石が、反対の磁気極性を有するそれぞれの第１の外面および第２の外面を有し、
前記第２の磁気ストリップの前記第１の磁石および第２の磁石が、反対の磁気極性を有するそれぞれの第１の外面および第２の外面を有し、前記第１の磁気ストリップの前記第１の外面および第２の外面が、前記第２の磁気ストリップの前記第１の外面および第２の外面に面し、
第１の構成では、前記第１の磁気ストリップの前記第１の磁石および第２の磁石が、前記第２の磁気ストリップの前記第１の磁石および第２の磁石に磁気的に引き付けられ、
前記第２の磁気ストリップが前記第１の磁気ストリップに対して第２の構成にスライドされると、前記第１の磁気ストリップの前記第１の磁石および第２の磁石が、前記第１の磁気ストリップ上の同じ極性の磁石と位置合わせされて、前記第２の磁気ストリップを前記第１の磁気ストリップから磁気的に反発させる、容器。
【請求項１０】
前記収納区画が断熱容器である、請求項９に記載の容器。
【請求項１１】
前記収納区画を形成する内側ライナーをさらに備える、請求項９に記載の容器。
【請求項１２】
前記外シェルと前記内側ライナーとの間に配置された断熱層をさらに備え、前記断熱層が、前記収納区画に断熱を付与する、請求項１１に記載の容器。
【請求項１３】
前記断熱層が、前記内側ライナーと前記外シェルとの間に浮いている、請求項１２に記載の容器。
【請求項１４】
前記断熱層が、前記内側ライナーまたは前記外シェルの少なくとも一方に取り付けられている、請求項１２に記載の容器。
【請求項１５】
前記外シェルが、一体に溶接された２つ以上のサブパネルを備える、請求項１２に記載の容器。
【請求項１６】
前記閉鎖機構が、閉鎖構成にあるとき、実質的に防水および気密になるように構成されている、請求項９に記載の容器。
【請求項１７】
容器であって、
耐水性材料から形成され、前部、後部、側部、および基部を有する外シェルを備え、前記外シェルが、さらに、
収納区画に延びる前記容器の上部にある開口と、
閉鎖機構とを備え、前記閉鎖機構が、さらに、
長手方向軸に沿って延び且つ前記開口の第１の側面に結合された第１の磁気ストリップであって、前記長手方向軸に沿って離間した第１の磁石および第２の磁石を有する第１の磁気ストリップと、
長手方向軸に沿って延びる第２の磁気ストリップであって、前記長手方向軸に沿って離間した第１の磁石および第２の磁石を有する第２の磁気ストリップと、
長手方向軸に沿って延び且つ前記開口の第２の側面に結合されたレールとを備え、
前記第２の磁気ストリップが、前記第２の磁気ストリップが前記レールに対して移動可能であるように前記レールに移動可能に結合され、
前記第１の磁気ストリップの前記第１の磁石および第２の磁石が、反対の磁気極性を有するそれぞれの第１の外面および第２の外面を有し、
前記第２の磁気ストリップの前記第１の磁石および第２の磁石が、反対の磁気極性を有するそれぞれの第１の外面および第２の外面を有し、前記第１の磁気ストリップの前記第１の外面および第２の外面が、前記第２の磁気ストリップの前記第１の外面および第２の外面に面し、
第１の構成では、前記第１の磁気ストリップの前記第１の磁石および第２の磁石が、前記第２の磁気ストリップの前記第１の磁石および第２の磁石に磁気的に引き付けられ、
前記第２の磁気ストリップが前記第１の磁気ストリップに対して第２の構成に移動されると、前記第１の磁気ストリップの前記第１の磁石および第２の磁石が、前記第１の磁気ストリップ上の同じ極性の磁石と位置合わせされて、前記第２の磁気ストリップを前記第１の磁気ストリップから磁気的に反発させる、容器。
【請求項１８】
容器であって、
耐水性材料から形成され、前部、後部、側部、および基部を有する外シェルを備え、前記外シェルが、さらに、
収納区画に延びる前記容器の上部にある開口と、
閉鎖機構とを備え、前記閉鎖機構が、さらに、
前記開口の第１の側面において前記容器の内面に結合された第１の磁気ストリップと、
第２の磁気ストリップ上面および第２の磁気ストリップ底面を有する第２の磁気ストリップであって、前記第２の磁気ストリップ上面が前記開口の第２の側面に結合され、前記第２の磁気ストリップ底面が前記外シェルに取り付けられない、第２の磁気ストリップと、
第３の磁気ストリップ上面および第３の磁気ストリップ底面を有する第３の磁気ストリップであって、前記第３の磁気ストリップ上面が前記開口の第２の側面に結合され、前記第３の磁気ストリップ底面が前記外シェルに取り付けられない、第３の磁気ストリップと、
前記第２の磁気ストリップが、前記区画内で前記第１の磁気ストリップに磁気的に結合されるように構成され、
前記第３の磁気ストリップが、前記容器の外部面上において前記第１の磁気ストリップに磁気的に結合されるように構成される、容器。
【請求項１９】
前記収納区画が断熱容器である、請求項１８に記載の容器。
【請求項２０】
前記収納区画を形成する内側ライナーをさらに備える、請求項１８に記載の容器。
【請求項２１】
前記外シェルと前記内側ライナーとの間に配置された断熱層をさらに備え、前記断熱層が、前記収納区画に断熱を付与する、請求項２０に記載の容器。
【請求項２２】
前記断熱層が、前記内側ライナーと前記外シェルとの間に浮いている、請求項２１に記載の容器。
【請求項２３】
前記断熱層が、前記内側ライナーまたは前記外シェルの少なくとも一方に取り付けられている、請求項２１に記載の容器。
【請求項２４】
前記外シェルが、一体に溶接された２つ以上のサブパネルを備える、請求項１８に記載の容器。
【請求項２５】
前記閉鎖機構が、閉鎖構成にあるとき、実質的に防水および気密になるように構成されている、請求項１８に記載の容器。
【請求項２６】
容器であって、
耐水性材料から形成され、前部、後部、側部、および基部を有する外シェルを備え、前記外シェルが、さらに、
収納区画に延びる前記容器の上部にある開口と、
閉鎖機構とを備え、前記閉鎖機構が、さらに、
第１の長手方向軸に沿って延び且つ前記開口の第１の側面に結合された第１の磁気ストリップであって、起伏のある表面形状を有する第１の外面を有する第１の磁気ストリップと、
前記第１の長手方向軸に沿って延びる第２の磁気ストリップであって、前記第１の磁気ストリップの前記第１の外面に相補的な起伏のある表面形状を有し、且つ前記第１の磁気ストリップの前記第１の外面と磁気的に結合するように構成された第２の外面を有する第２の磁気ストリップとを備える、容器。
【請求項２７】
前記第１の外面または前記第２の外面の少なくとも一方が磁化されている、請求項５に記載の容器。
【請求項２８】
前記第１の外面または前記第２の外面の少なくとも一方が、磁性材料を少なくとも部分的に封入する非磁性外シェル材料を備える、請求項５に記載の容器。
【請求項２９】
容器であって、
耐水性材料から形成され、前部、後部、側部、および基部を有する外シェルを備え、前記外シェルが、さらに、
収納区画に延びる前記容器の上部にある開口と、
閉鎖機構とを備え、前記閉鎖機構が、さらに、
前記開口の前縁において前記前部の内部面に結合された第１の磁気ストリップと、
前記開口の後縁において前記後部の内部面に結合された第２の磁気ストリップと、
前記後部から前記開口の前記後縁の上方に延びるフラップ部に結合された第３の磁気ストリップと、
前記前部の外部面に結合された磁気パネルとを備え、
前記第１の磁気ストリップが、前記第２の磁気ストリップに磁気的に引き付けられ、前記第３の磁気ストリップが、前記磁気パネルに磁気的に引き付けられて前記開口を再密封可能に密封し、
前記外シェルが、折り畳まれて第３の磁気要素を前記磁気パネルに取り外し可能に結合するように構成されている、容器。
【請求項３０】
前記収納区画が断熱容器である、請求項２９に記載の容器。
【請求項３１】
前記収納区画を形成する内側ライナーをさらに備える、請求項２９に記載の容器。
【請求項３２】
前記外シェルと前記内側ライナーとの間に配置された断熱層をさらに備え、前記断熱層が、前記収納区画に断熱を付与する、請求項３１に記載の容器。
【請求項３３】
前記断熱層が、前記内側ライナーと前記外シェルとの間に浮いている、請求項３２に記載の容器。
【請求項３４】
前記断熱層が、前記内側ライナーまたは前記外シェルの少なくとも一方に取り付けられている、請求項３２に記載の容器。
【請求項３５】
前記外シェルが、一体に溶接された２つ以上のサブパネルを備える、請求項３２に記載の容器。
【請求項３６】
前記閉鎖機構が、閉鎖構成にあるとき、実質的に防水および気密になるように構成されている、請求項２９に記載の容器。
【請求項３７】
断熱装置であって、
第１の側壁を画定する外シェルと、
収納区画を形成する内側ライナーと、
前記外シェルと前記内側ライナーとの間に配置された断熱層であって、前記収納区画に断熱を付与する断熱層と、
前記収納区画へのアクセスを可能にするように構成された開口と、
前記開口を実質的に密封するように適合された閉鎖部であって、前記断熱装置が任意の向きにあるときに液体が前記開口から出るのを防ぐように実質的に防水性である閉鎖部とを備え、前記閉鎖部が、さらに、
取っ手と、前記内側ライナー、前記断熱層、および前記外シェルよりも剛性の高い補強層とを含む蓋アセンブリと、
前記蓋アセンブリの少なくとも一部と前記開口の上縁に沿って延びる外側閉鎖機構と、
内側閉鎖機構とを備え、前記内側閉鎖機構が、
前記蓋アセンブリの少なくとも一部に沿って延びる上部磁気ストリップと、
前記開口の前記上縁の少なくとも一部に沿って延びる下部磁気ストリップとを備える、断熱装置。
【請求項３８】
前記外シェルが、第２の側壁および第３の側壁をさらに備え、前記開口が、前記第１の側壁、前記第２の側壁、および前記第３の側壁を通って延びる、請求項３７に記載の断熱装置。
【請求項３９】
前記断熱装置が直方体の形状である、請求項３７に記載の断熱装置。
【請求項４０】
前記内側ライナーおよび前記外シェルが接合部を形成し、前記接合部がガスへの通気口を備える、請求項３７に記載の断熱装置。
【請求項４１】
前記外シェルが１つまたは複数の取っ手を備え、前記１つまたは複数の取っ手の位置に隣接して通気口が形成される、請求項３７に記載の断熱装置。
【請求項４２】
前記断熱装置が水で完全に満たされ且つ６フィートの距離から落下したときに液体が前記開口から出るのを防ぐように、前記閉鎖部が実質的に防水性である、請求項３７に記載の断熱装置。
【請求項４３】
前記外シェルが、第１の平面に延びる底壁を画定し、前記内側ライナーが、前記第１の平面に対して垂直に延びる第２の平面において前記外シェルに固定される、請求項３７に記載の断熱装置。
【請求項４４】
前記内側ライナーが、第１の片部および第２の片部から形成され、前記第１の片部が、溶接によって前記第２の片部に接合されて継ぎ目を画定し、前記継ぎ目が継ぎ目テープによって覆われる、請求項３７に記載の断熱装置。
【請求項４５】
前記内側ライナーが、射出成形によって形成される、請求項３７に記載の断熱装置。
【請求項４６】
前記外側閉鎖機構がジッパーであり、実質的に防水性であり、前記ジッパーがプルを備える、請求項３７に記載の断熱装置。
【請求項４７】
本体アセンブリをさらに備える、請求項３７に記載の断熱装置。
【請求項４８】
前記蓋アセンブリおよび前記本体アセンブリが一体となって、前記内側ライナー、前記断熱層、および前記外シェルを形成する、請求項４７に記載の断熱装置。
【請求項４９】
前記蓋アセンブリが、前記断熱層の少なくとも一部を含む、請求項３７に記載の断熱装置。
【請求項５０】
前記断熱層が、前記内側ライナーと前記外シェルとの間に浮いている、請求項３７に記載の断熱装置。
【請求項５１】
前記断熱層が、前記内側ライナーまたは前記外シェルに取り付けられている、請求項３７に記載の断熱装置。
【請求項５２】
容器であって、
耐水性材料から形成され、前部、後部、側部、および基部を有する外シェルを備え、前記外シェルが、さらに、
収納区画に延びる前記容器の上部にある開口と、
閉鎖機構とを備え、前記閉鎖機構が、さらに、
第１の磁気ストリップ上面および第１の磁気ストリップ底面を有する第１の磁気ストリップであって、前記第１の磁気ストリップ上面が前記開口の前縁において前記前部の内部面に結合され、前記第１の磁気ストリップ底面が前記外シェルに取り付けられていない第１の磁気ストリップと、
第２の磁気ストリップ上面および第２の磁気ストリップ底面を有する第２の磁気ストリップであって、前記第２の磁気ストリップ上面が前記開口の後縁において前記後部の内部面に結合され、前記第２の磁気ストリップ底面が前記外シェルに取り付けられていない第２の磁気ストリップと、
前記後部から前記開口の前記後縁の上方に延びるフラップ部であって、第１のファスナ要素を有するフラップ部と、
前記前部の外部面に結合される第２のファスナ要素とを備え、
前記第１の磁気ストリップが、前記第２の磁気ストリップに磁気的に引き付けられて前記開口を再密封可能に密封し、
前記外シェルが、折り畳まれて前記第１のファスナ要素を前記第２のファスナ要素に取り外し可能に結合するように構成される、容器。
【請求項５３】
前記第１の磁気ストリップおよび前記第２の磁気ストリップが、前記開口のそれぞれの前縁および後縁においてヒンジ結合される、請求項５２に記載の容器。
【請求項５４】
前記第１の磁気ストリップおよび前記第２の磁気ストリップのうちの少なくとも１つが、前記開口のそれぞれの前縁および後縁においてヒンジ結合される、請求項５２に記載の容器。
【請求項５５】
前記第１のファスナ要素が、面ファスナによって前記第２のファスナ要素に取り外し可能に結合されるように構成される、請求項５２に記載の容器。
【請求項５６】
前記第１のファスナ要素および前記第２のファスナ要素が磁石を備える、請求項５２に記載の容器。
【請求項５７】
前記後部の内部背面に結合された内部スリップポケットをさらに備える、請求項５２に記載の容器。
【請求項５８】
前記後部の内部背面パネルに結合された内部スリップポケットをさらに備える、請求項５２に記載の容器。
【請求項５９】
前記前部の内部前面に結合された内部ジップポケットをさらに備える、請求項５２に記載の容器。
【請求項６０】
前記外シェルの前記後部に結合され、前記容器を外部構造に取り外し可能に結合するように構成されたストラップをさらに備える、請求項５２に記載の容器。
【請求項６１】
前記外部構造が断熱容器である、請求項６０に記載の容器。
【請求項６２】
前記外シェルが、一体に溶接された２つ以上のサブパネルを備える、請求項５２に記載の容器。
【請求項６３】
前記容器が空気のみを含みながら５ｋｇの質量が前記容器の前記後部に付加されるとき、前記閉鎖部が気密シールを維持するように構成される、請求項５２に記載の容器。
【請求項６４】
容器であって、
前面シェルと、
前記前面シェルの内周の周りに延びる前面フレームと、
背面シェルと、
前記背面シェルの内周の周りに延び且つ底面において前記前面フレームにヒンジ結合された背面シェルと、
前記背面シェルを前記前面シェルに再密封可能に密封するように構成された閉鎖機構とを備え、前記閉鎖機構が、さらに、
前記前面フレームの少なくとも第１の部分の周りに延びる前面磁気ストリップと、
前記背面フレームの少なくとも第１の部分の周りに延びる背面磁気ストリップであって、前記前面磁気ストリップに磁気的に結合するように構成された背面磁気ストリップと、
少なくとも前記前面フレームの第２の部分および前記背面フレームの第２の部分の周りに延びるジッパーとを備える、容器。
【請求項６５】
前記前面フレームおよび前記背面フレームがエラストマーを含む、請求項６４に記載の容器。
【請求項６６】
前記前面磁気ストリップおよび背面磁気ストリップが、それぞれの前記前面フレームおよび背面フレーム内のチャネル内に封入される、請求項６４に記載の容器。
【請求項６７】
前記閉鎖機構が、前記前面磁気ストリップが前記背面磁気ストリップに磁気的に結合されるときに形成されるジッパートラフをさらに備える、請求項６４に記載の容器。
【請求項６８】
前記ジッパーが、少なくとも前記前面フレームの前記第２の部分および前記背面フレームの前記第２の部分に伸縮可能に結合されるジッパーテープをさらに備える、請求項６４に記載の容器。
【請求項６９】
前記ジッパーが閉鎖されると、前記ジッパーテープの前記前面フレームの少なくとも第２の部分および前記背面フレームの第２の部分への伸縮可能な結合が、前記前面磁気ストリップおよび前記背面磁気ストリップを互いに向かって付勢する圧縮力をもたらす、請求項６８に記載の容器。
【請求項７０】
前記前面シェルおよび前記背面シェルのうちの少なくとも一方が、一体に溶接された２つ以上のサブパネルを備える、請求項６４に記載の容器。
【請求項７１】
前記前面磁気ストリップを前記背面磁気ストリップから手動で切り離すための把持面をもたらすように構成されたプルタブをさらに備える、請求項６４に記載の容器。
【請求項７２】
本明細書において前記前面磁気ストリップおよび前記背面磁気ストリップがそれぞれ複数の磁石要素を備える、請求項６４に記載の容器。
【発明の詳細な説明】
【技術分野】
【０００１】
関連出願の相互参照
本出願は、２０１７年３月８日に出願された米国仮特許出願第６２／４６８，６７３号の優先権を主張し、あらゆる非限定的な目的のためにその全体を参照することにより本明細書に明示的に組み込まれる。
【０００２】
本開示は、一般に、磁気閉鎖部を有する密封された収納区画に私物を収納するのに有用な非剛性、半剛性、および剛性の携帯用容器装置に関する。
【背景技術】
【０００３】
容器は、偶発的な衝撃（例えば、落下）ならびに液体や汚れからのある程度の保護をもたらすために、ユーザの私物を収納するように設計されることができる。容器は、金属もしくはプラスチックなどの剛性素材または布地もしくは発泡体などの柔軟素材から構成されることができる。容器は、容器の内部の内容物にアクセスすることを可能にする開口／開口を有して設計されることができる。開口はまた、閉鎖機構を備えることができる。
【発明の概要】
【０００４】
この概要は、以下の詳細な説明でさらに説明される簡略化された形態での本発明に関連するいくつかの一般的な概念の紹介を提供する。この概要は、本発明の主要な特徴または本質的な特徴を識別することを意図したものではない。
【０００５】
本明細書の開示の態様は、（１）部分的または完全な防水閉鎖部、（２）磁気閉鎖部のうちの１つまたは複数を有する容器装置に関することができる。
【図面の簡単な説明】
【０００６】
前述の概要および以下の詳細な説明は、参照符号が現れる様々な図の全てにおいて同様の参照符号が同一または同様の要素を指す添付の図面と併せて考慮すると、よりよく理解されるであろう。
【０００７】
【図１】図１は、本明細書に記載の１つまたは複数の態様にかかる、容器の実装を概略的に示している。
【０００８】
【図２】図２は、本明細書に記載の１つまたは複数の態様にかかる、容器の実装を概略的に示している。
【０００９】
【図３Ａ】図３Ａは、本明細書に記載のさらなる態様にかかる、容器の他の実装を概略的に示している。
【図３Ｂ】図３Ｂは、本明細書に記載のさらなる態様にかかる、容器の他の実装を概略的に示している。
【００１０】
【図４】図４は、本明細書に記載の１つまたは複数の態様にかかる、容器の１つの実装を概略的に示している。
【００１１】
【図５】図５は、本明細書に記載の１つまたは複数の態様にかかる、図４からの容器の他の図を概略的に示している。
【００１２】
【図６】図６は、本明細書に記載の１つまたは複数の態様にかかる、図４からの容器の上部の断面図を概略的に示している。
【００１３】
【図７】図７は、本明細書に記載の１つまたは複数の態様にかかる、容器の１つの実装を示している。
【００１４】
【図８Ａ】図８Ａは、本明細書に記載の１つまたは複数の態様にかかる、容器の実装を概略的に示している。
【図８Ｂ】図８Ｂは、本明細書に記載の１つまたは複数の態様にかかる、容器の実装を概略的に示している。
【００１５】
【図９Ａ】図９Ａは、本明細書に記載の１つまたは複数の態様にかかる、開放構成における図８Ａ〜図８Ｂからの容器を概略的に示している。
【図９Ｂ】図９Ｂは、本明細書に記載の１つまたは複数の態様にかかる、開放構成における図８Ａ〜図８Ｂからの容器を概略的に示している。
【図９Ｃ】図９Ｃは、本明細書に記載の１つまたは複数の態様にかかる、開放構成における図８Ａ〜図８Ｂからの容器を概略的に示している。
【００１６】
【図１０】図１０は、本明細書に記載の１つまたは複数の態様にかかる、図８Ａ〜図８Ｂからの容器の後部の図を概略的に示している。
【００１７】
【図１１】図１１は、本明細書に記載の１つまたは複数の態様にかかる、図８Ａ〜図８Ｂからの容器の内部背面パネルの一部を概略的に示している。
【００１８】
【図１２】図１２は、本明細書に記載の１つまたは複数の態様にかかる、図８Ａ〜図８Ｂからの容器の内部前面パネルの一部を概略的に示している。
【００１９】
【図１３Ａ】図１３Ａは、本明細書に記載の１つまたは複数の態様にかかる、図８Ａ〜図８Ｂからの容器の１つの実装の断面端面図を概略的に示している。
【００２０】
【図１３Ｂ】図１３Ｂは、本明細書に記載の１つまたは複数の態様にかかる、図８Ａ〜図８Ｂからの容器の開口のより詳細な図を概略的に示している。
【００２１】
【図１３Ｃ】図１３Ｃは、本明細書に記載の１つまたは複数の態様にかかる、図８Ａ〜図８Ｂからの容器の開口の代替実装を概略的に示している。
【００２２】
【図１３Ｄ】図１３Ｄは、本明細書に記載の１つまたは複数の態様にかかる、図８Ａ〜図８Ｂからの容器の開口の代替実装を概略的に示している。
【００２３】
【図１４】図１４は、本明細書に記載の１つまたは複数の態様にかかる、容器の１つの実装を示している。
【００２４】
【図１５】図１５は、本明細書に記載の１つまたは複数の態様にかかる、図１４からの容器の他の図を示している。
【００２５】
【図１６】図１６は、本明細書に記載の１つまたは複数の態様にかかる、図１４からの容器の他の図を示している。
【００２６】
【図１７Ａ】図１７Ａは、本明細書に記載の１つまたは複数の態様にかかる、容器の他の実装の等角図を概略的に示している。
【図１７Ｂ】図１７Ｂは、本明細書に記載の１つまたは複数の態様にかかる、容器の他の実装の等角図を概略的に示している。
【００２７】
【図１８Ａ】図１８Ａは、本明細書に記載の１つまたは複数の態様にかかる、閉鎖機構の等角図を概略的に示している。
【図１８Ｂ】図１８Ｂは、本明細書に記載の１つまたは複数の態様にかかる、閉鎖機構の等角図を概略的に示している。
【００２８】
【図１９】図１９は、本明細書に記載の１つまたは複数の態様にかかる、閉鎖機構１９００の他の実装の断面図を概略的に示している。
【００２９】
【図２０】図２０は、本明細書に記載の１つまたは複数の態様にかかる、閉鎖機構の実装を概略的に示している。
【００３０】
【図２１Ａ】図２１Ａは、本明細書に記載の１つまたは複数の態様にかかる、閉鎖機構の折り畳み式磁気カラーを示している。
【図２２Ｂ】図２２Ｂは、本明細書に記載の１つまたは複数の態様にかかる、閉鎖機構の折り畳み式磁気カラーを示している。
【００３１】
【図２２】図２２は、本明細書に記載の１つまたは複数の態様にかかる、磁気閉鎖部を有する容器を示している。
【００３２】
【図２３】図２３は、本明細書に記載の１つまたは複数の態様にかかる、磁気閉鎖部を有する容器を示している。
【００３３】
【図２４Ａ】図２４Ａは、本明細書に記載される１つまたは複数の態様にかかる、図２３に関して説明したものと同様の磁気閉鎖機構を概略的に示している。
【図２４Ｂ】図２４Ｂは、本明細書に記載される１つまたは複数の態様にかかる、図２３に関して説明したものと同様の磁気閉鎖機構を概略的に示している。
【００３４】
【図２５】図２５は、本明細書に記載の１つまたは複数の態様にかかる、磁気閉鎖機構を有する容器の他の実装を概略的に示している。
【００３５】
【図２６】図２６は、本明細書に記載の１つまたは複数の態様にかかる、磁気閉鎖部の１つの実装の断面図を概略的に示している。
【００３６】
【図２８】図２８は、本明細書に記載の１つまたは複数の態様にかかる、磁気閉鎖機構を含む他の例示的な容器を示している。
【００３７】
【図２９】図２９は、本明細書に記載の１つまたは複数の態様にかかる、図２８の容器の閉鎖機構の一部の断面図を概略的に示している。
【００３８】
さらに、これらの図は様々な例の異なる構成要素の縮尺の描写であると理解されるものとするが、開示される例はその特定の縮尺に限定はされない。さらに、特に明記しない限り、図面は、特定の縮尺を必要とするものと解釈されるべきではない。
【発明を実施するための形態】
【００３９】
以下の様々な例および本開示の構成要素の説明では、その一部を形成し、本開示の態様が実施可能な様々な例示的な構造および環境として示される添付の図面を参照する。他の構造および環境が利用されてもよく、本開示の範囲から逸脱することなく、具体的に説明した構造および方法から構造的および機能的変更が行われてもよいことを理解されたい。
【００４０】
また、「前面側」、「背面側」、「前面」、「背面」、「上」、「ベース」、「底」、「側」、「前方」、「後方」などの用語は、様々な例示的な特徴および要素を記載するために本明細書において使用されることができ、これらの用語は、便宜上、例えば図に示される例示的な向きおよび／または典型的な使用の向きに基づいて、本明細書において使用される。本明細書のいかなるものも、特許請求の範囲内に含めるために、構造の特定の三次元的または空間的方向付けを必要とすると解釈されるべきではない。
【００４１】
以下の説明では、１つまたは複数の容器構造を参照する。開示された構造のいずれも、これらの開示の範囲から逸脱することなく、任意のポリマー、複合材、および／または金属／合金材料から構成可能であることが想定される。さらに、これらの開示の範囲から逸脱することなく、任意の製造方法論を利用することができることが想定される。例えば、これらの開示全体にわたって記載された様々な容器を構築するために、とりわけ、１つまたは複数の溶接（例えば、布地の高周波、超音波溶接、もしくはレーザー溶接、または金属／合金溶接）、接着、縫合、成形、射出成形、ブロー成形、スタンピング、深絞り、鋳造、ダイカスト、穿孔、バリ取り、研削、研磨、サンディング、またはエッチングプロセスが利用可能である。さらに、これらの開示全体を通して磁気要素または構造に言及する場合、要素または構造は、１つもしくは複数の磁石（例えば、永久磁石）、または磁石に引き付けられることができる１つもしくは複数の金属もしくは合金（例えば、とりわけ強磁性材料）を含むと仮定することができる。さらに、本明細書に記載の磁気ストリップは、連続磁気要素、一連の２つ以上の離散磁気要素、または磁気要素の２次元または３次元アレイを含むことができる。さらに、これらの磁気要素は、任意の磁性金属または合金から構成されてもよく、ポリマー、セラミック、または非磁性金属もしくは合金などの１つまたは複数の非磁性材料と組み合わされてもよい。
【００４２】
以下の開示を通して、様々な磁気閉鎖機構が説明される。これらの磁気閉鎖機構は、部分的にまたは完全に水密および／または気密であるように構成されることができる。磁気閉鎖機構は、これらの開示の範囲から逸脱することなく、記載された磁気要素に加えてガスケットおよびシールを含むことができることが想定される。
【００４３】
本文書を通して議論される容器のいずれかは、部分的にまたは完全に水密、気密、および／または密封されて、塵埃または他の材料が容器に入り、および／または容器から出るのを実質的または完全に防止できることが想定される。例えば、先の段落でさらに詳細に説明される容器１００、２００、３００、４００、７００、８００、１４００、２００２、２２００、２３００、および／または２５００は、部分的にまたは完全に耐水性の外シェル／外壁および閉鎖機構を含むことができる。
【００４４】
図１は、本明細書に記載の１つまたは複数の態様にかかる、容器１００の実装を概略的に示している。容器１００などの容器は、これらの開示を通して、とりわけ、ポーチ、バッグ、箱、または器と代わりに呼ばれることもあることが想定される。１つの例では、容器１００は、変形に強い硬質シェルを有してもよい。１つの実装では、容器１００は、背面シェル１０４にヒンジ結合された前面シェル１０２を有するクラムシェル機構を有する。これらの開示全体を通して議論される場合、ヒンジ結合は、とりわけ、屈曲要素（例えば、ライブヒンジ）またはピアノヒンジのうちの１つまたは複数を利用することができる。シェル１０２および１０４は、とりわけ、任意のポリマー、複合材、および／または金属／合金材料から構成されることができることが想定される。１つの実装では、前面シェル１０２は、部分的にまたは全体的に透明であってもよい。１つの例では、前面シェル１０２および／または背面シェル１０４は、ポリカーボネート材料から構成されることができる。しかしながら、これらの開示の範囲を逸脱することなく、追加的または代替的なポリマー材料が利用されてもよい。
【００４５】
容器１００は、背面シェル１０４の内周の少なくとも一部の周りに延びるガスケット１０６を有することができる。ガスケット１０６は、背面シェル１０４のチャネル１０７内に配置されることができる。ガスケット１０６は、とりわけ、シリコーン、ネオプレン、ニトリル、ポリ塩化ビニル、またはブチルゴムから構成されることができる。１つの例では、ガスケット１０６は、容器１００内の内部収納区画内に開口１０８を部分的にまたは全体的に密封するように構成されてもよい。
【００４６】
１つの実装では、容器１００は、前面シェル１０２にヒンジ結合され、背面シェル１０４の上部１１２に取り外し可能に結合するように構成された留め金１１０を有する、これらの開示全体を通してファスナ機構とも呼ばれる閉鎖機構を含むことができることが想定される。特定の例では、留め金１１０は、ガスケット１０６とともに、前面シェル１０２と背面シェル１０４との間に防水性または耐水性のシールを形成することができる。さらに、容器１００は、容器１００内に乾燥区画を形成するために、防水性または耐水性の布地から形成されることができる。しかしながら、これらの開示の範囲から逸脱することなく、追加的または代替的な閉鎖機構が利用されてもよい。例えば、容器１００は、これらの開示の範囲から逸脱することなく、留め金１１０と同様の２つ以上の留め金、１つ以上のジッパー、レール型閉鎖機構、面ファスナ、タブ、締まり嵌め閉鎖機構、嵌合閉鎖機構、または磁気閉鎖機構を利用してもよい。
【００４７】
図２は、本明細書に記載の１つまたは複数の態様にかかる、容器２００の実装を概略的に示している。容器２００は、変形に対して少なくとも部分的に耐性のある硬質シェルを有することができる。１つの特定の例では、容器２００は、クラムシェル設計を利用し、背面シェル２０４にヒンジ結合された前面シェル２０２を有する。背面シェル２０４は、背面シェル２０４の内周の少なくとも一部の周りに延びるチャネル２０７内に配置されるガスケット２０６を有することができる。図示されるように、開口は、容器２００の内部収納区画２０８へのアクセスを提供する。この内部収納区画２０８は、前面シェル２０２がガスケット２０６に沿って背面シェル２０４と係合するときに、部分的にまたは全体的に密封されることができる（例えば、とりわけ、空気および／または水に対して部分的にまたは全体的に密封される）。１つの例では、ガスケット２０６は、図１に関連して説明したガスケット１０６と同様であってもよい。容器２００は、布地コーティングを有する成形エチレン酢酸ビニル材料から構成されることができることがさらに想定される。
【００４８】
図示の例では、容器２００は、前面シェル２０２の上面２１２にヒンジ結合された留め金２１０を有する閉鎖機構を含むことができる。したがって、留め金２１０は、背面シェル２０４の上面２１４上のタブ構造（図示せず）と係合するように構成されることができる。上記の例のように、留め金１１０は、ガスケット２０６とともに、前面シェル２０２と背面シェル２０４との間に防水性または耐水性のシールを形成することができることも想定される。さらに、容器２００は、容器２００内に乾燥区画を形成するために防水性または耐水性の布地から形成されることができる。しかしながら、とりわけ、磁気閉鎖機構、または面ファスナなどの追加的または代替的な閉鎖機構が利用されてもよい。
【００４９】
図３Ａおよび図３Ｂは、本明細書に記載の１つまたは複数の態様にかかる、容器３００の他の実装を概略的に示している。具体的には、図３Ａは、開放構成における容器３００を概略的に示し、図３Ｂは、閉鎖構成における容器３００を概略的に示している。１つの実装では、容器３００は、外シェル３０２の１つまたは複数の表面が折り畳まれることができるように、１つまたは複数の変形可能な材料から構成される。
【００５０】
１つの例では、開口３０４は、容器３００の内部収納区画に延びている。開口３０４は、第１の閉鎖機構３０６によって部分的にまたは全体的に密封されてもよい。第１の閉鎖機構は、開口３０４の周囲の少なくとも一部の周りに延びる磁気閉鎖部を含むことができる。追加的にまたは代替的に、第１の閉鎖機構３０６は、とりわけ、レール型ファスナ、および／またはジッパーファスナを含むことができる。さらに、開口３０４は、外シェル３０２の上部３０８を第２の閉鎖機構３１０に向かって折り畳む／巻くことによって部分的にまたは全体的に密封されてもよい。図３Ｂに示されるように、第２の閉鎖機構３１０は、折り畳まれた上部３０８上に延在し、外シェル３０２の背面側（図示せず）に付着するように構成されてもよい。したがって、第２の閉鎖機構３１０は、とりわけ、１つまたは複数の面ファスナ、留め金ファスナ、タイ、または磁気要素を含むことができる。
【００５１】
図４は、本明細書に記載の１つまたは複数の態様にかかる、容器４００の１つの実装を概略的に示している。１つの実装では、容器４００は、背面シェル４０４に結合された前面シェル４０２を有する。前面シェル４０２は、容器４００の１つまたは複数の側面（例えば、底面４１０、左側面４１２、右側面４１４、および／または上面４１６）に沿って配置されたヒンジ機構（図４には図示せず）によって背面シェル４０４に結合されることができる。前面シェル４０２は、容器４００の収納区画（図４には図示せず）に延びる開口を部分的にまたは全体的に密封するように構成された１つまたは複数の追加的なまたは代替的な閉鎖機構によって背面シェル４０４に結合されることができる。１つの例では、容器４００は、とりわけ、レール型閉鎖機構、ジッパー閉鎖部、および／または磁気閉鎖機構を含むことができる。したがって、１つまたは複数の追加的なまたは代替的な閉鎖機構は、フレーム要素４０６の周りに部分的にまたは全体的に延びる開口を密封するように構成されることができる。
【００５２】
１つの例では、容器４００は、容器４００の１つまたは複数の内部収納区画へのアクセス／その密封を得るように、前面シェル４０２を背面シェル４０４から／背面シェルに対してヒンジ結合解除／ヒンジ結合するために、ユーザが容器４００を手動で把持することができる把持面をもたらすように構成されたプルタブ４０８ａおよび４０８ｂを含む。容器４００は、容器４００の１つまたは複数の側面に沿って配置されたヒンジ機構（図４には図示せず）の代わりに１つまたは複数の代替の結合機構を含むことができることがさらに想定される。例えば、前面シェル４０２は、背面シェル４０４に取り外し可能に結合されるように構成されてもよい。
【００５３】
前面シェル４０２および背面シェル４０４のうちの１つまたは複数は、変形可能であってもよく、または部分的にまたは完全に剛性であってもよい。１つの例では、背面シェル４０４内の１つまたは複数の前面シェル４０２は、成形されたＥＶＡ（エチレンビニルアセテート）から構成されてもよく、布地コーティングを有してもよい。この布地コーティングには、任意の合成または天然の繊維材料を含むことができる。容器４００は、これらの開示の範囲を逸脱することなく、任意のポリマー、複合材、および／または金属／合金を利用することができることがさらに想定される。
【００５４】
図５は、容器４００の内部区画５０２の図を提供するために前面シェル４０２の前面が除去された容器４００の他の図を概略的に示している。図５は、底面４１０の一部に沿って延在し且つ前面シェル４０２を背面シェル４０４にヒンジ結合するように構成されたヒンジ機構５０４を概略的に示している。さらに、図５は、容器４００の周囲に少なくとも部分的に延びるフレーム４０６の内部図を概略的に示している。１つの例では、フレーム４０６は、エラストマーから構成される。前述したように、フレーム４０６は、内部収納区画５０２への開口を部分的にまたは全体的に密封するように構成された１つまたは複数の追加的なまたは代替的な閉鎖機構を含む。これらの追加的なまたは代替的な閉鎖機構については、以降の図に関連してさらに詳細に説明される。
【００５５】
図６は、本明細書に記載の１つまたは複数の態様にかかる、容器４００の上部の断面図を概略的に示している。図６は、前面シェル４０２の内周の少なくとも一部の周りに延びる前面フレーム６０２を有する前面シェル４０２を概略的に示している。容器４００はまた、背面シェル４０４と、背面シェル４０４の内周の周りに延びる背面フレーム６０４とを含む。１つの例では、容器４００は、前面磁気ストリップ６０６を含む閉鎖機構を有する。前面磁気ストリップ６０６は、前面フレーム６０２の少なくとも一部の周りに延びることができる。さらに、前面磁気ストリップ６０６は、前面フレーム６０２の前面チャネル６１０内に封入されることができる。同様に、閉鎖機構は、背面フレーム６０４の少なくとも一部の周りに延びる背面磁気ストリップ６０８を含むことができる。背面磁気ストリップ６０８はまた、背面フレーム６０４の後チャネル６１２内に封入されることもできる。前面磁気ストリップ６０６および背面磁気ストリップ６０８は、１つまたは複数の線形ストリップまたは２次元アレイで構成された１つまたは複数の磁気要素を含むことができることが想定される。例えば、前面磁気ストリップ６０６および背面磁気ストリップ６０８は、連続磁気要素、または前面チャネル６１０および後チャネル６１２内で互いに離間したいくつかの磁気要素を含むことができる。前面磁気ストリップ６０６および背面磁気ストリップ６０８は、１つまたは複数の永久磁石、および／または磁石に引き付けられる金属／合金を含む要素を含むことができることが想定される。したがって、前面磁気ストリップ６０６は、背面磁気ストリップ６０８に磁気的に結合するように構成されることができる。
【００５６】
さらに、容器４００の閉鎖機構は、ジッパー６１４を含むことができる。ジッパー６１４は、前面フレーム６０２および背面フレーム６０４の少なくとも一部の周りに延在してもよい。本開示の範囲から逸脱することなく、任意のサイズ（例えば、歯のサイズ、間隔）および／または任意のスライダー本体およびプルタイプを有する任意のジッパー機構が利用されることができることが想定される。ジッパー６１４は、部分的にまたは全体的に耐水性であるように構成されることができることがさらに想定される。そのため、ジッパー６１４は、閉じられたとき、収納区画５０２への水の浸入を部分的にまたは完全に防止することができる。追加的にまたは代替的に、前面磁気ストリップ６０６および背面磁気ストリップ６０８を含む磁気閉鎖部は、部分的にまたは全体的に耐水性および／または気密であるように内部収納区画５０２への開口を密封することができる。
【００５７】
１つの例では、ジッパーアセンブリ６１４は、圧縮空気での試験中に大気圧よりも７ｐｓｉ高くまで水密とすることができる。しかしながら、他の例では、閉鎖部６１４の水密性は、大気圧よりも５ｐｓｉから９ｐｓｉ高くすることができ、他の例では、閉鎖部６１４の水密性は、大気圧よりも２ｐｓｉから１４ｐｓｉ高くすることができる。防水ジッパーアセンブリ６１４は、スライダー本体およびプルタブ（図示せず）を含むことができる。１つの特定の例では、防水性ジッパーアセンブリ６１４は、容器４００の内部収納区画から内容物を取り出す際の怪我を防ぐために、プラスチックまたは他の非金属の歯によって構成されることができる。
【００５８】
さらに有利には、前面磁気ストリップ６０６および背面磁気ストリップ６０８を含む磁気閉鎖機構は、ストリップ６０６および６０８が互いに磁気的に結合されると、前面シェル４０２を背面シェル４０４と位置合わせすることができる。この磁気位置合わせは、ジッパーの歯の不整列などにより経験される可能性のあるジッパー機構のいかなる引っ掛かり／他の部分的な故障もなしに、ジッパー６１４が手動で開閉されることを可能にする。
【００５９】
図７は、本明細書に記載の１つまたは複数の態様にかかる、容器４００と同様とすることができる容器７００の１つの実装を示している。具体的には、容器７００は、前面シェル４０２と同様とすることができる前面シェル７０２と、背面シェル４０４と同様であり且つ前面シェル７０２にヒンジ結合されるように構成された背面シェル７０４とを有する。図示されているように、前面シェル７０２は、内部収納区画が開口７０６を介してアクセス可能であるように、背面シェル７０４から切り離されている。図７はまた、ジッパー６１４と同様とすることができるジッパー７０８を示している。
【００６０】
図８Ａ〜図８Ｂは、本明細書に記載の１つまたは複数の態様にかかる、容器８００の実装を概略的に示している。具体的には、図８Ａは、容器８００の正面図を概略的に示し、図８Ｂは、容器８００の同じ実装の部分背面図を概略的に示している。１つの例では、容器８００は、部分的にまたは全体的に耐水性の材料から形成された外シェル８０２を有することができる。容器８００の外シェル８０２は、前部８０４、後部８０６、側部８０８、および基部８１０を含むことができることが想定される。容器８００は、容器８００の上部の開口（図８Ａまたは図８Ｂには図示せず）を再密封可能に密封するように構成されることができる閉鎖機構８１２も含むことができる。さらに、容器８００は、例えば、とりわけ、バッグ、断熱容器、または衣料品（例えば、ベルト）などの他の構造に容器８００を取り外し可能に結合するために利用されることができる取り付け機構８１４を後部８０６に含むことができる。１つの実装では、取り付け機構は、ストラップが外部構造に取り外し可能に結合されることができることを可能にするように構成された面ファスナを有する１つまたは複数のストラップを含むことができる。
【００６１】
１つの例では、容器８００は、断熱装置または断熱容器などの他の容器に取り外し可能に結合されるように構成されてもよい。具体的には、容器８００は、その全内容があらゆる非限定的な目的のためにその全体を参照することにより本明細書に組み込まれる、２０１６年９月９日に出願された米国特許出願第１５／２６１４０７号に記載されている断熱装置の１つまたは複数に取り外し可能に結合されるように構成されることができる。同様に、本文書を通して記載れる他の容器１００、２００、３００、４００、７００、および／または１４００のいずれかもまた、米国特許出願第１５／２６１４０７号に記載されている断熱装置の１つまたは複数に取り外し可能に結合されるように構成されることができる。
【００６２】
容器８００の外シェル８０２は、図示の前部８０４、後部８０６、側部８０８、および基部８１０を形成するように互いに結合された１つまたは複数のパネルから構成されることができることが想定される。具体的には、１つまたは複数のパネルは、とりわけ、一体に接着、縫合、または溶接（とりわけ、超音波溶接、ＲＦ溶接、レーザー溶接）されることができる。容器８００の外シェル８０２は、１つまたは複数の実質的に剛性の構造、１つまたは複数の変形可能な構造、またはそれらの組み合わせを有することができることが想定される。さらに、外シェル８０２は、１つまたは複数のポリマー（とりわけ、ポリプロピレン、ポリ塩化ビニル、ポリエチレン、ポリエチレンテレフタレート、アクリロニトリルブタジエンスチレンなど）、複合材、および／または１つまたは複数の金属／合金を利用することができる。
【００６３】
図９Ａ〜図９Ｃは、本明細書に記載の１つまたは複数の態様にかかる、開放構成における容器８００を概略的に示している。具体的には、図９Ａは、容器８００の正面図を概略的に示し、図９Ｂは、側面図を概略的に示し、図９Ｃは、背面図を概略的に示している。１つの実装では、開口９０２は、容器８００の上部に配置されることができ、開口は、外シェル８０２によって封入された１つまたは複数の収納区画内に延びる。容器８００は、磁気シールを含む閉鎖機構を含むことができる。磁気シールは、本文書の前のセクションにおいてさらに詳細に説明され、要素９０４として図９Ａの切り取り窓内に部分的に概略的に示されている。後続の図に関連してさらに詳細に説明されるように、磁気シール９０４は、容器８００の開口９０２を磁気的に且つ再密封可能に密封するように構成されることができる。追加的にまたは代替的に、容器８００の閉鎖機構は、後部８０６から開口９０２の端縁（破線９０３によって概略的に示される開口９０２の端縁）の上に延びるフラップ部９０６を含むことができる。フラップ部９０６は、第２のファスナ要素９１０に取り外し可能に結合されるように構成された第１のファスナ要素９０８を含むことができる。第２のファスナ要素９１０は、容器８００の前部８０４の外面にさらに結合される。特定の例では、第２のファスナ要素は、より大きな面積を有して形成されることができ、容器８００のフラップ部９０６が異なる高さで容器に固定されることができるように、より大きな矩形の形態とすることができる。これは、容器８００における異なる負荷に対応できるように、容器のサイズが調整可能であることを可能にすることができる。１つの例では、第１のファスナ要素および第２のファスナ要素９０８および９１０は、面ファスナ要素またはフレンチクリートファスナ要素を含むことができる。他の実装では、第１のファスナ要素および第２のファスナ要素９０８および９１０は、磁気ストリップなどの磁気ファスナを含むことができる。磁気ファスナは、個別に、またはフレンチクリートファスナ要素、面ファスナ要素、および他の種類のファスナ要素と組み合わせて使用することができる。上記方法はまた、様々な取り外し可能なストラップを容器に接続するために使用されることもできる。さらに他の実装では、第１のファスナ要素および第２のファスナ要素９０８および９１０は、とりわけ、レール／ジッパー型ファスナ、１つまたは複数のボタン、留め金、スナップ、タイ、嵌合シャンク、スタンプフック、トグル、または干渉型の取り外し可能なカップリングのうちの１つまたは複数を含むことができるか、またはそれらと組み合わせて使用されることができる。
【００６４】
１つの実装では、容器８００の外シェルは、１つまたは複数の線（図９Ａ〜図９Ｃには図示せず）に沿って折り畳まれ、第１のファスナ要素および第２ファスナ要素９０８および９１０を互いに係合するように構成されることができる。容器８００は、第１のファスナ要素９０８と第２のファスナ要素９１０との間のほぼ中間に間隔を空けて設けられる１つまたは複数の折り線に沿って（例えば、概略的に示す線９０５に沿って）折り畳むことができることが想定される。追加的にまたは代替的に、容器８００の外シェルの少なくとも一部は、第１のファスナ要素および第２のファスナ要素９０８および９１０を互いに係合させるために巻かれるように構成されてもよい。
【００６５】
図１０は、本明細書に記載の１つまたは複数の態様にかかる、容器８００の後部の図を概略的に示している。具体的には、図１０は、開放構成における取り付け機構８１４を有する容器８００を概略的に示している。１つの例では、取り付け機構８１４は、２つのストラップ（例えば、ストラップ１００２ａおよび１００２ｂ）を含むことができる。取り付け機構８１４は、これらの開示の範囲から逸脱することなく、単一のストラップ（ストラップ１００２ａおよび１００２ｂの１つと同様）、または３つ以上のストラップ（ストラップ１００２ａおよび１００２ｂの１つまたは複数と同様）を利用することができることが想定される。ストラップ１００２ａおよび１００２ｂは、実質的に同様とすることができることが想定される。したがって、以下は、ストラップ１００２ａについて説明し、同様の特徴がストラップ１００２ｂ上に存在すると仮定することができる。
【００６６】
１つの実装では、ストラップ１００２ａは、ファスナ要素１００４ａ、１００６ａ、および１００８ａを含む。１つの例では、要素１００４ａ、１００６ａおよび１００８ａは、面ファスナを含むことができ、したがって、要素１００４ａ、１００６ａおよび１００８ａのそれぞれは、要素１００４ａ、１００６ａおよび１００８ａのうちの選択された１つがそれ自体、または他の２つのファスナ要素のうちの１つまたは複数に取り外し可能に結合するように構成されることができるように、フックおよびループ要素のうちの１つまたは双方を含む。１つの例では、ファスナ要素１００４ａ、１００６ａおよび１００８ａは、ストラップ１００２ａ上に接着、溶接、または縫合されてもよい。例えば、要素１０１０ａ、１０１２ａ、および１０１４ａは、ファスナ要素１００８ａがストラップ１００４ａに縫合される継ぎ目を表すことができる。さらに、継ぎ目１０１０ａ、１０１２ａ、および１０１４ａは、追加的にまたは代替的に、ストラップ１００４ａを後部８０６に結合してもよい。さらに、ファスナ要素１００４ａ、１００６ａおよび１００８ａは、フックおよびループ要素に加えて、またはフックおよびループ要素の代替としてファスナ構造を含むことができることが想定される。具体的には、ファスナ要素は、これらの開示の範囲から逸脱することなく、とりわけ、１つまたは複数のレール／ジッパー型ファスナ、１つまたは複数のボタン、留め金、スナップ、バックル、ペグ、磁石、またはタイを含むことができる。
【００６７】
１つの実装では、容器８００の収納区画は、１つまたは複数の副区画を含むことができる。したがって、図１１は、本明細書に記載される１つまたは複数の態様にかかる、容器８００の内部背面パネル１１００の一部を概略的に示している。具体的には、容器８００の収納区画は、収納副区画１１０２を含むことができる。１つの特定の例では、収納副区画１１０２は、パッド入りスリップポケットを含むことができる。１つの実装では、パッド入りスリップポケット１１０２は、内部背面１１０４に結合されることができる。１つの例では、容器８００の後部８０６は、内部背面１１０４が後部８０６の内面であるように単一層の材料を含むことができる。他の実装では、容器８００は、内部背面１１０４が後部８０６の構造とは別個の構造であるように複数の層の材料を含む。パッド入りスリップポケット１１０２は、スリップポケット前面パネル１１０８とスリップポケット背面パネル１１１０との間に形成された開口１１０６を含むことができることが想定される。スリップポケット前面パネル１１０８は、点１１１４ａおよび１１１４ｂにおいてスリップポケット背面パネル１１１０に結合される上端縁継ぎ目１１１２を有してもよい。さらに、スリップポケット背面パネル１１１０は、ポケット１１０８の全周囲の周りに延在することができる継ぎ目１１１６に沿って内部背面１１０４に結合されてもよい。１つの実装では、継ぎ目１１１６ならびに結合点１１１４ａおよび１１１４ｂは、縫合されたカップリングを備えることができる。他の実装では、継ぎ目１１１６ならびに結合点１１１４ａおよび１１１４ｂは、追加的にまたは代替的に、とりわけ、溶接または接着されてもよい。
【００６８】
特定の例において、副区画１１０２は、容器８００が外部要素／構造によって落下した場合の損傷の可能性を低減するために、そこに収納された１つまたは複数の物品に衝撃吸収量をもたらすようにパディングされてもよい。したがって、スリップポケット前面パネル１１０８およびスリップポケット背面パネル１１１０のうちの１つまたは複数は、１つまたは複数のパディング要素を含むことができる。１つの例では、パネル１１０８および１１１０のうちの１つまたは複数は、２つの外層の間に配置された発泡体（例えば、ポリエチレン発泡体）、ハニカム、および／または空気袋材料のうちの１つまたは複数を含むことができる。他の実装では、パネル１１０８および１１１０のうちの１つまたは複数は、とりわけネオプレン／ポリクロロプレンなどの単一層のパッド入り材料を含むことができる。
【００６９】
図１２は、本明細書に記載の１つまたは複数の態様にかかる、容器８００の内部前面パネル１２００の一部の図を概略的に示している。図１１の副区画１１０２と同様の方法で、図１２は、ジッパー閉鎖部を有するパッド付きまたはパッドなし区画とすることができる副区画１２０２を概略的に示している。具体的には、ジッパー閉鎖部１２０４は、副区画１２０２内に延びる開口１２０６に対して部分的にまたは完全に密封可能な閉鎖部をもたらすように構成されてもよい。副区画１１０２と同様に、副区画１２０２は、ジップポケット背面パネル１２０８とジップポケット前面パネル１２１０とを含むことができる。ジップポケット背面パネル１２０８は、容器８００の内部前面１２１２に結合されてもよい。１つの例では、内部前面１２１２は、前部８０４の内部面である。他の例では、容器８００は、内部前面１２１２が１つまたは複数の中間材料層によって前部８０４から離間するように、複数の層を有してもよい。
【００７０】
１つの例では、ジップポケット背面パネル１２０８は、ポケット１２０２の全周囲の周りに延在することができる継ぎ目１２１４に沿って内部前面１２１２に結合されることができる。さらに、継ぎ目１２１４は、とりわけ、ステッチ、溶接、または接着されてもよい。さらに、ジップポケット前面パネル１２１０は、継ぎ目１２１４に沿って背面パネル１２０８および／または内部前面１２１２に結合されてもよい。ジッパー閉鎖部１２０４は、開口１２０６にわたって離間して配置されたエンドストップ１２１６ａおよび１２１６ｂを含むことができる。スリップポケット前面パネル１１０８およびスリップポケット背面パネル１１１０と同様に、ジップポケット背面パネル１２０８およびジップポケット前面パネル１２１０のうちの１つまたは複数は、パッド入りまたはパッドなしとすることができる。追加的にまたは代替的に、ジップポケット背面パネル１２０８およびジップポケット前面パネル１２１０のうちの１つまたは複数は、メッシュ材料または部分的にもしくは全体的に透明なポリマー材料を含んでもよい。
【００７１】
図１３Ａは、本明細書に記載の１つまたは複数の態様にかかる、前記容器８００の１つの実装の断面端面図を概略的に示している。前述したように、内部区画１３０２は、前部８０４、後部８０６、および基部８１０（ならびに図１３Ａには図示されていない側部８０８）によって囲まれている。さらに、内部区画１３０２は、１つまたは複数の副区画１１０２および１２０２を含むことができる。
【００７２】
図１１の説明に加えて、図１３Ａは、スリップポケット前面パネル１１０８およびスリップポケット背面パネル１１１０内のパディング層１３０４を概略的に示している。１つの特定の実装では、パディング層１３０４は、０．５〜５ｍｍのポリエチレンフォームを含むことができる。これらの開示の範囲から逸脱することなく、他の種類の発泡体、パディング材料、および／または他の厚さを利用できることが想定される。
【００７３】
前述したように、前部８０４、後部８０６、側部８０８、および基部８１０のうちの１つまたは複数は、一体に結合される複数の材料パネルを含むことができる。１つの特定の例では、前部８０４は、上部前部１３０８に結合された下部前部１３０６を含むことができる。同様に、後部８０６は、上部後部１３１２に結合される下部後部１３１０を含むことができる。あるいは、下部前部１３０６および上部前部１３０８は、単一の要素として形成されてもよく、および／または下部後部１３１０および上部後部１３１２は、単一の要素として形成されてもよい。１つの例では、上部前部１３０８は、区画１３０２への開口１３１６の前縁１３１４を含むことができる。同様に、上部後部１３１２は、開口１３１６の後縁１３１８を含むことができる。
【００７４】
図１３Ｂは、本明細書に記載の１つまたは複数の態様にかかる、容器８００の開口１３１６のより詳細な図を概略的に示している。具体的には、図１３Ｂは、第１の磁気ストリップ上面１３２９および第１の磁気ストリップ底面１３３１を有し、開口１３１６の前縁１３１４において前部８０４の内面１２１２に結合された第１の磁気ストリップ１３２０の断面端面図を概略的に示している。同様に、第２の磁気ストリップ上面１３３３および第２の磁気ストリップ底面１３３５を有する第２の磁気ストリップ１３２２は、開口１３１６の後縁１３１８において後部８０６の内部面１１０４に結合されてもよい。
【００７５】
１つの実装では、第１の磁気ストリップ１３２０は、少なくとも上部継ぎ目１３２４および下部継ぎ目１３２６に沿って内部面１２１２に堅く結合されてもよい。さらに、第２の磁気ストリップ１３２２は、内部面１１０４にヒンジ結合されてもよい。磁気ストリップ１３２２のヒンジ結合は、開口１３１６の後縁１３１８における継ぎ目１３２８とすることができる。そのため、第２の磁気ストリップ１３２２は、表面１１０４から切り離された緩い端部１３３０を有してもよく、継ぎ目１３２８の周りに回転してもよい。さらに、第２の磁気ストリップ底面１３３５は、外シェル８０２に取り付けられていなくてもよい。他の例では、第１の磁気ストリップ底面１３３１および第２の磁気ストリップ底面１３３５のいずれかまたは両方は、外シェル８０２に取り付けられていなくてもよい。
【００７６】
他の実装では、図１３Ｃに概略的に示されるように、これらの開示の範囲から逸脱することなく、第１の磁気ストリップ１３２０は、上部継ぎ目１３２４に沿って内部面１２１２にヒンジ式に結合されてもよく、第２の磁気ストリップ１３２２は、上部継ぎ目１３２８および他の下部継ぎ目１３４０によって内部面１１０４に堅く結合されてもよい。そのため、第１の磁気ストリップ１３２０は、表面１２１２から切り離された緩い端部１３４２を有してもよく、継ぎ目１３２４の周りに回転してもよい。
【００７７】
さらに他の実装では、図１３Ｄに概略的に示されるように、第１の磁気ストリップ１３２０および第２の磁気ストリップ１３２２の両方は、それぞれの前縁１３１４および１３１８においてそれぞれの内部面１２１２および１１０４にヒンジ式に結合されてもよい。したがって、第１の磁気ストリップ１３２０は、表面１２１２から結合されていない緩い端部１３４２を有してもよく、第２の磁気ストリップ１３２２は、表面１１０４から結合されていない緩い端部１３３０を有してもよい。
【００７８】
有利には、第１の磁気ストリップおよび／または第２の磁気ストリップ１３２０および１３２２のうちの１つまたは複数のヒンジ結合は、磁気結合が係合したままであり、磁気ストリップ１３２０および１３２２の両方がそれぞれの内部面１２１２および１１０４に堅く結合された場合よりも、内部区画１３０２の側壁に加えられる比較的高い内圧／外圧まで区画１３０２を密封することを可能にする。
【００７９】
これらの開示全体にわたって説明される容器は、所与の容器の内部収納区画と容器を囲む外部環境との間の圧力差に応じて密封されたままになるように構成されることができる。１つの実装では、容器８００は、互いに磁気結合されている磁気ストリップ１３２０および１３２２によって形成された磁気閉鎖部を使用して、第１の圧力レベルまで密封されたままであるように構成されることができる。さらに、容器８００は、磁気ストリップ１３２０および１３２２によって形成される両方の磁気閉鎖部が係合され、二次閉鎖部がファスナ要素９０８をファスナ要素９１０に取り外し可能に結合することにより係合されるとき、第１の圧力レベルよりも高い第２の圧力レベルまで密封されたままであるように構成されてもよい。１つの例では、磁気ストリップ１３２０および１３２２によって形成される磁気閉鎖部と組み合わせて、ファスナ要素９０８および９１０によって形成される二次閉鎖部の使用は、容器８００の内部収納区画が磁気ストリップ１３２０および１３２２のみによって形成される磁気閉鎖部の使用と比較した場合に耐えることができる圧力が５倍以上増加することがある。他の例では、磁気ストリップ１３２０および１３２２によって形成される磁気閉鎖部と組み合わせてファスナ要素９０８および９１０を係合することから生じる圧力耐性は、５〜１０倍増加することができる。１つの実装では、磁気ストリップ１３２０および１３２２によって形成される磁気閉鎖部は、０．５〜０．９ｐｓｉ以上の圧力に耐えるように構成されてもよく、磁気ストリップ１３２０および１３２２によって形成される磁気閉鎖部と、ファスナ要素９０８および９１０によって形成される二次閉鎖部との組み合わせは、２．５〜４．５ｐｓｉ以上の圧力に耐えるように構成されてもよい。さらに、代替の圧力範囲は、容器８００、または本開示全体にわたって記載される任意の他の容器によって耐えられることができることが想定される。
【００８０】
図１４は、本明細書に記載の１つまたは複数の態様にかかる、容器８００と同様の容器１４００の１つの実装を示している。具体的には、容器１４００は、前部８０２と同様とすることができる前部１４０２と、後部８０６と同様とすることができる後部１４０４とを含むことができる。容器１４００はまた、フラップ部９０６と同様とすることができるフラップ部１４０６を含むことができる。したがって、フラップ部１４０６は、それに結合された第１のファスナ要素１４０８を有することができる。第１のファスナ要素１４０８は、第１のファスナ要素９０８と同様とすることができ、前部１４０２の外部面に結合された第２のファスナ要素１４１０に結合するように構成されることができる。そのため、第２のファスナ要素１４１０は、第２のファスナ要素９１０と同様であってもよい。１つの特定の例では、第１のファスナ要素および第２のファスナ要素１４０８および１４１０は、面ファスナ要素を含むことができる。しかしながら、これらの開示の範囲を逸脱することなく、追加的にまたは代替的なファスナ要素が、これらの要素とともに利用されることができる。例えば、第１のファスナ要素および第２のファスナ要素１４０８および１４１０の両方は、とりわけ、磁気ストリップなどの磁気ファスナを含むことができる。
【００８１】
さらに、図１４は、磁気ストリップ１４１２を示している。この磁気ストリップ１４１２は、磁気ストリップ１３２２と同様とすることができ、容器１４００の開口１４１４を磁気的に密封するように構成されることができる。具体的には、磁気ストリップ１４１２は、開口１４１４の後縁１４０５において後部１４０４の内部面に結合されてもよい。１つの例では、磁気ストリップ１４１２は、開口１４１４の前縁１４１６において前部１４０２の内部面に結合される第２の磁気ストリップ（図示せず）に磁気的に付着するように構成されてもよい。
【００８２】
１つの実装では、磁気ストリップ１４１２は、磁気要素の列（例えば、要素１４１８ａ、１４１８ｂなど）を含むことができる。１つの実装では、これらの磁気要素１４１８ａ、１４１８ｂは、永久磁石であってもよい。他の例では、磁気要素１４１８ａ、１４１８ｂは、永久磁石に磁気的に引き付けられてもよい。磁気ストリップ１４１２は、追加的にまたは代替的に、２つ以上の列を有する要素１４１８ａおよび１４１８ｂと同様の磁気要素のアレイを含むことができることがさらに想定される。さらに、磁気ストリップ１４１２は、一連の複数の磁気要素（例えば、要素１４１８ａおよび１４１８ｂ）ではなく、１つまたは複数の連続磁気バンドを含むことができることが想定される。これらの磁気バンドは、これらの開示の範囲から逸脱することなく、１つまたは複数の磁気ワイヤまたはフォイルを含んでもよい。さらに、これらの開示の範囲から逸脱することなく、磁気閉鎖部の追加的なまたは代替的な実装が容器１４００とともに利用されることができる。１つの例では、磁気ストリップ１３２０、１３２２および／または１４１２によって形成される磁気シールは、開口９０２および／または１４１４の部分的にまたは全体的に耐水性のシールを形成することができる。
【００８３】
図１５は、本明細書に記載の１つまたは複数の態様にかかる、図１４からの容器１４００の他の図を示している。１つの例では、図１５は、磁気ストリップ１４１２が、開口１４１４の後縁１４０５において後部１４０４の内部面にヒンジ結合されることができることを示している。
【００８４】
図１６は、本明細書に記載の１つまたは複数の態様にかかる、図１４からの容器１４００の他の図を示している。具体的には、図１６は、例えば、開口１４１４を密封するために第２の磁気ストリップに磁気結合するように構成された磁気ストリップ１４１２を含むファスナなど、容器１４００の磁気ファスナの試験を示している。図示されているように、容器１４００は、５ｋｇの質量が容器１６００の後部１６０４に配置されているため、磁気ファスナが気密シールを維持する能力を実証している（この試験設定では、容器１６００は、空気のみを含む）。
【００８５】
図１７Ａ〜図１７Ｂは、本明細書に記載の１つまたは複数の態様にかかる、容器１７００の他の実装の等角図を概略的に示している。具体的には、図１７Ａは、開放構成における容器１７００を概略的に示し、図１７Ｂは、閉鎖構成における容器を概略的に示している。１つの例では、容器１７００は、容器８００と同様とすることができ、前部１７０４、後部１７０６、側部１７０８、および基部１７１０を有する外シェル１７０２を有することができる。さらに、容器１７００は、第２のファスナ要素１７１４に取り外し可能に結合されるように構成された第１のファスナ要素１７１２を有する。第１のファスナ要素１７１２を第２のファスナ要素１７１４に取り外し可能に結合するために、後部１７０６のフラップ部１７１６は、折り畳まれるかまたは丸められることができ、第１のファスナ要素１７１２を第２のファスナ要素１７１４に近付けることができる。容器１７００は、図１３Ｂに関連して記載された磁気閉鎖部のものと同様の磁気閉鎖部１７１３を有し得ることができることがさらに想定される。そのため、１つの例では、容器１７００が図１７Ａの開放構成にあるとき、磁気閉鎖部は、容器１７００を最大０．２５ｐｓｉの圧力まで密封することができる。他の例では、容器１７００が図１７Ａの開放構成にあるとき、磁気閉鎖部は、最大０．３ｐｓｉ、０．４ｐｓｉ、０．５ｐｓｉ、０．６ｐｓｉ、０．７ｐｓｉ、または１．０ｐｓｉまでの圧力で容器１７００を密封することができる。さらに、図１７Ｂの閉鎖構成では、磁気閉鎖部１７１３と第１のファスナ要素および第２のファスナ要素１７１２および１７１４との組み合わせは、２．７５ｐｓｉの圧力まで容器１７００を密封することができる。他の例では、磁気閉鎖部１７１３と第１のファスナ要素および第２のファスナ要素１７１２および１７１４との組み合わせは、容器１７００を３．０ｐｓｉ、３．５ｐｓｉ、４．０ｐｓｉ、４．５ｐｓｉ、または０．５０ｐｓｉの圧力まで密封することができる。
【００８６】
図１８Ａおよび図１８Ｂは、本明細書に記載の１つまたは複数の態様にかかる、閉鎖機構の等角図を概略的に示している。具体的には、図１８Ａは、閉鎖機構１８００の上部の等角図を概略的に示している。閉鎖機構１８００は、容器４００の閉鎖機構と同様とすることができ、背面フレーム６０４と同様に、前面フレーム６０２と同様に前面フレーム１８０４に磁気的に且つ取り外し可能に結合されるように構成された背面フレーム１８０２を含むことができる。結合されたとき、図１８Ａ〜１８Ｃに示されるように、ジッパートラフまたはジッパーチャネル１８０６が形成される。１つの例では、ジッパートラフ１８０６は、スライダー本体がジッパーテープ（例えば、ジッパー６１４）に沿って移動するための間隙をもたらすように構成されてもよい。図１８Ｂは、閉鎖機構１８００の底部の等角図を概略的に示している。１つの例では、背面フレーム１８０２および前面フレーム１８０４のそれぞれは、複数の磁気要素を含むことができ、その要素１８０８ａ〜１８０８ｃは、複数の同様の要素の例である。１つの実装では、磁気要素、例えば、要素１８０８ａ〜１８０８ｃは、１つまたは複数の成形、オーバーモールド、接着、または締まり嵌めプロセスを使用して、前面フレーム１８０４および背面フレーム１８０２に結合されてもよい。１つの例では、前面フレーム１８０４が背面フレーム１８０２に磁気的に結合されると、背面フレーム１８０２および前面フレーム１８０４のそれぞれ内の磁気要素が互いに当接することができる。他の例では、背面フレーム１８０２および／または前面フレーム１８０４のそれぞれの中の磁気要素は、互いに直接接触することなく磁力を及ぼしてもよい。１つの例では、磁気要素、例えば。要素１８０８ａ〜１８０８ｃは、永久磁石であってもよく、または強磁性体もしくは常磁性体であってもよい。追加的にまたは代替的に、閉鎖機構１８００は、これらの開示の範囲から逸脱することなく、別個の磁気要素（例えば、要素１８０８ａ〜１８０８ｃ）ではなく磁気ストリップを含むことができる。
【００８７】
図１９は、本明細書に記載の１つまたは複数の態様にかかる、閉鎖機構１９００の他の実装の断面図を概略的に示している。１つの例では、閉鎖機構１９００は、容器４００の閉鎖機構と同様とすることができ、容器４００と同様に、容器の外シェルを形成する背面シェル１９０２および前面シェル１９０４を含むことができる。さらに、閉鎖機構１９００は、背面シェル１９０２と前面シェル１９０４との間の開口１９０８の第１の閉鎖部をもたらすように構成されたジッパー１９０６を含むことができる。１つの例では、ジッパー１９０６は、ジッパー１９０６が閉じられたときに引張力が前面フレーム１９１２を背面フレーム１９１０に向かって付勢するように、背面シェル１９０２および前面シェル１９０４に伸縮可能に結合されることができる。次に、この引張力は、前磁石ストリップ１９１４を背面磁気ストリップ１９１６に向かって付勢する。１つの例では、前面フレーム１９１２が背面フレーム１９１０に磁気的に且つ取り外し可能に結合されると、ジッパートラフ１９１８が形成される。他の例では、閉鎖機構１９００は、前磁石ストリップ１９１４が背面磁気ストリップ１９１６に磁気的に結合されたときに開口１９０８の追加の密封をもたらすように構成されたガスケット要素１９２０および１９２２を含むことができる。
【００８８】
図２０は、本明細書に記載の１つまたは複数の態様にかかる、閉鎖機構２０００の実装を概略的に示している。１つの例では、閉鎖機構２０００は、容器を再密封可能に密封するように構成される。外シェル２００２は、閉鎖機構２０００が利用されることができるタイプの容器の一例である。しかしながら、閉鎖機構２０００は、任意の種類の容器とともに利用されてもよく、外シェル２００２は、１つの例示的な実装を表すことが想定される。外シェル２００２は、耐水性材料、または部分的にもしくは完全に透過性の材料から形成されることができる。図２０の概略図には示されていないが、外シェル２００２は、一般に、前部、後部、側部、および基部を有することができる。外シェル２００２はまた、開口２００４も含むことができる。閉鎖機構２０００は、開口２００４を再密封可能に密封するように構成されることができる。１つの例では、閉鎖機構２０００は、開口２００４を再密封可能に密封するために、開放構成と閉鎖構成との間で折り畳むように構成される。閉鎖機構２０００は、密封力をもたらすように構成された磁気要素を含むことができる。さらに、閉鎖機構２０００によってもたらされるシールは、閉鎖構成にあるとき、実質的に水密および／または気密であってもよい。
【００８９】
図２０に示されるように、閉鎖機構２０００は、完全に開放構成と閉鎖構成との間を移行する際に閉鎖機構２０００が移動する部分的に折り畳まれた構成に配置される。１つの例では、閉鎖機構２０００は、外シェル２００２の開口に結合された折り畳み式の磁気カラー２１００を含む。この折り畳み式磁気カラー２１００は、図２１Ａおよび図２１Ｂに関連してさらに詳細に説明される。
【００９０】
図２１Ａおよび図２２Ｂは、本明細書に記載の１つまたは複数の態様にかかる、閉鎖機構２０００の折り畳み式磁気カラー２１００を示している。具体的には、図２１Ａは、完全に開放構成における折り畳み式磁気カラー２１００を示し、図２１Ｂは、完全に閉鎖構成における折り畳み式磁気カラー２１００を示している。図２１Ｂの完全に閉鎖構成は、外シェル２００２の開口２００４などの容器の開口を密封することができる。
【００９１】
折り畳み式磁気カラー２１００は、第１の端部２１０４と第２の端部２１０６との間で直線的に延びる前面カラー部材２１０２を含むことができる。これらの第１の端部および第２の端部２１０４および２１０６は、開口２００４などの開口の前面のそれぞれの第１の端部および第２の端部に結合されてもよい。前面カラー部材２１０２はまた、背面カラー部材２１１６に向かって延びる突起２１０８を含んでもよい。突起２１０８は、背面カラー部材２１１６に面する第１の磁気表面２１１４を有してもよい。さらに、前面カラー部材２１０２は、突起２１０８によって第３の磁気表面２１１２から離間した第２の磁気表面２１１０を含んでもよい。
【００９２】
折り畳み式磁気カラー２１００の背面カラー部材２１１６は、第１の端部２１１８と第２の端部２１２０との間に延びることができる。これらの第１の端部および第２の端部２１１８および２１２０は、開口２００４などの開口の背面のそれぞれの第１の端部および第２の端部に結合されてもよい。背面カラー部材２１１６はまた、前面カラー部材２１０２に向かって延びる突起２１２２を含んでもよい。突起２１２２は、前面カラー部材２１０２に面する第１の磁気表面２１２４を有してもよい。さらに、背面カラー部材は、突起２１２２によって第３の磁気表面２１２８から離間した第２の磁気表面２１２６を含んでもよい。
【００９３】
折り畳み式磁気カラー２１００は、開口２００４などの開口の第１の側面に沿って延びる第１の側部カラー部材２１３０を含むことができる。第１の側部カラー部材２１３０は、前面カラー部材２１０２の第１の端部２１０４にヒンジ結合され、背面カラー部材２１１６の第１の端部２１１８にヒンジ結合されることができる。第１の側部カラー部材２１３０は、第１の磁気要素２１３４を第２の磁気要素２１３６から分離する中央ヒンジ２１３２をさらに含む。
【００９４】
折り畳み式磁気カラー２１００は、開口２００４などの開口の第２の側面に沿って延びる第２の側部カラー部材２１４０を含む。第２の側部カラー部材２１４０は、前面カラー部材２１０２の第２の端部２１０６にヒンジ結合され、背面カラー部材２１１６の第２の端部２１２０にヒンジ結合されることができる。第２の側部カラー部材２１４０は、第１の磁気要素２１４４を第２の磁気要素２１４６から分離する中央ヒンジ２１４２をさらに含む。
【００９５】
説明したように、折り畳み式磁気カラー２１００は、第１の端部２１０４において前面カラー部材２１０２と第１の側部カラー部材２１３０との間にヒンジを含む。さらに、前面カラー部材２１０２は、第２の端部２１０６において第２の側部カラー部材２１４０にヒンジ止めされている。同様に、背面カラー部材２１１６は、第１の端部２１１８において第１の側部カラー部材２１３０に、第２の端部２１２０において第２の側部カラー部材２１４０にヒンジ止めされている。さらに、第１の側部カラー部材２１３０は、中央ヒンジ２１３２を含み、第２の側部カラー部材２１４０は、中央ヒンジ２１４２を含む。これらのヒンジ要素のいずれも、１つまたは複数のポリマー、金属、または合金から構成された屈曲部を含む活ヒンジ構造を含むことができることが想定される。追加的にまたは代替的に、これらのヒンジ要素のいずれかは、互いに回転可能に結合された別個のヒンジ要素を含む機械的ヒンジ機構を含むことができる。
【００９６】
図２１Ａに示されるように、折り畳み式磁気カラー２１００が完全に開放構成にあるとき、前面カラー部材２１０２、背面カラー部材２１１６、第１の側部カラー部材２１３０、および第２の側部カラー部材２１４０は、実質的に直線状の構成に配置される。折り畳まれると、第１の側部カラー部材２１３０の中央ヒンジ２１３２は、第１の側部カラー部材２１３０の第１の磁気要素および第２の磁気要素２１３４および２１３６をヒンジで互いに接触させる。さらに、前面カラー部材２１０２の第１の端部２１０４および背面カラー部材２１１６の第１の端部２１１８への第１の側部カラー部材２１３０のヒンジ結合は、第１の側部カラー部材２１３０の第１の磁気要素および第２の磁気要素２１３４および２１３６をヒンジで前面カラー部材２１０２の第２の磁気表面２１１０および背面カラー部材２１１６の第２の磁気表面２１２６と接触させる。
【００９７】
折り畳まれたとき、第２の側部カラー部材２１４０の中央ヒンジ２１４２は、第２の側部カラー部材２１４０の第１の磁気要素および第２の磁気要素２１４４および２１４６をヒンジで互いに接触させる。さらに、前面カラー部材２１０２の第２の端部２１０６および背面カラー部材２１１６の第２の端部２１２０への第２の側部カラー部材２１４０のヒンジ結合は、第２の側部カラー部材２１４０の第１の磁気要素および第２の磁気要素２１４４および２１４６をヒンジで前面カラー部材２１０２の第２の磁気表面２１１２および背面カラー部材２１１６の第２の磁気表面２１２８と接触させる。
【００９８】
折り畳まれると、第１の側部カラー部材２１３４の中央ヒンジ２１３２および第２の側部カラー部材２１４０の中央ヒンジ２１４２は、前面カラー部材２１０２の第１の磁気表面２１１０および第２の磁気表面２１１２を第１の背面カラー部材２１１６のそれぞれの第１の磁気表面２１２６および第２の磁気表面２１２８とヒンジで接触させる。この閉鎖構成は、図２１Ｂに示されている。
【００９９】
図２２は、本明細書に記載の１つまたは複数の態様にかかる、磁気閉鎖部２２０２を有する容器２２００を示している。１つの例では、容器２２００は、本開示全体にわたって説明される容器のいずれかと同様とすることができる。他の例では、容器２２００は、「断熱容器」と題する２０１７年１０月２３日に出願された米国特許出願第１５  ／  ７９０，９２６号に記載された断熱容器のうちの１つまたは複数と同様とすることができ、その全内容は、あらゆる非限定的な目的のために参照することにより本明細書に組み込まれる。
【０１００】
容器２２００は、耐水性材料から構成される外シェル２２０４を含んでもよい。外シェル２２０４は、前部２２０６、後部２２０８、側部２２１０および２２１２、ならびに基部２２１４を含むことができる。１つの例では、開口２２１６は、容器２２００の上部２２１８に配置されてもよい。しかしながら、磁気閉鎖機構２２０２は、容器２２００と同様の容器の代替の開口実装を再密封可能に密封するように利用されることができることが想定される。
【０１０１】
磁気閉鎖機構２２０２は、開口２２１６の第１の側面に結合された第１の磁気ストリップ２２２０を含むことができる。第１の磁気ストリップ２２２０は、一連の線形磁気要素２２２２を含むことができる。他の実装では、磁気ストリップ２２０２は、これらの開示の範囲から逸脱することなく、単一の連続磁気要素、または磁気要素の２次元アレイを含むことができる。第２の磁気ストリップ２２２４は、開口２２１６の第２の側面に結合されることができる。第１の磁気ストリップ２２２０は、第２の磁気ストリップ２２２４に磁気的に引き付けられ、ストリップ２２２０と２２２４との間の磁力引力を使用して開口２２１６を再密封可能に密封することができる。したがって、第２の磁気ストリップ２２２４は、第１の磁気ストリップ２２２０と同様の１つまたは複数の磁気要素を含むことができる。１つの例では、第１の磁気ストリップ２２２０は、図２２に示すように、開口２２１６を密封構成から開放構成に移行させるために、第２の磁気ストリップ２２２４から手動で分離されることができる。１つの例では、第１の磁気ストリップ２２２０および第２の磁気ストリップ２２２４のそれぞれは、希土類磁石によって射出成形されることができる。容器２２００は、ユーザが第１の磁気ストリップ２２２０を第２の磁気ストリップ２２２４から手動で分離することを可能にするようにタブ２２２６を含むことができる。第１の磁気ストリップおよび第２の磁気ストリップは、容器２２００が妥当な高さから落下したときに壊れない強力なシールを形成するのを助けることができる。さらに、このシーリング方法の形状は、断熱性能を向上させ且つ「サーマルブリッジ」効果を排除するように断熱空間を形成する。
【０１０２】
図２３は、本明細書に記載される１つまたは複数の態様にかかる、磁気閉鎖機構２３０１を有する容器２３００を示している。１つの例では、容器２３００は、図２２の容器２２００など、本開示全体にわたって説明される容器のいずれかと同様とすることができる。容器２３００は、外シェル２３０２を含むことができる。外シェル２３０２は、収納区画内に延びる開口２３０４を有してもよい。磁気閉鎖機構２３０１は、開口２３０４を再密封可能に密封するように構成されてもよい。磁気閉鎖機構２３０１は、開口２３０４の第１の側面に結合された長手方向軸に沿って延びる第１の磁気ストリップ２３０６を含むことができる。１つの例では、第１の磁気ストリップ２３０６は、磁石２３０８および２３１０、または２つの例は、第１の磁気ストリップ２３０６の長手方向軸に沿って間隔を空けられた一連の線形離散磁石要素を含む。レール２３１２は、長手方向軸に沿って延びてもよく、開口２３０４の第２の側面に結合されてもよい。第２の磁気ストリップ２３１４は、長手方向軸に沿って延びてもよく、レール２３１２にスライド可能に結合されてもよい。第２の磁気ストリップ２３１４は、第１の磁気ストリップ２３０６と同様の一連の磁石を有してもよい。
【０１０３】
１つの例では、第２の磁気ストリップ２３１４は、第２の磁気ストリップ２３１４の長手方向軸がレール２３１２の長手方向軸に平行な状態で、第２の磁気ストリップ２３１４がレール２３１２に対してスライド可能であるように、レール２３１２にスライド可能に結合される。１つの例では、第１の磁気ストリップ２３０６上の一連の磁石は、第２の磁気ストリップ２３１４に面し且つ交互の磁気極性を有する外面を有してもよい。同様に、第２の磁気ストリップ２３１４の一連の磁石は、第１の磁気ストリップ２３０６に面し且つ交互の磁気極性を有する外面を有してもよい。第１の構成では、第１の磁気ストリップ２３０６の磁石は、反対の磁気極性を有する第２の磁気ストリップ２３１４の磁石と整列されてもよく、第１の磁気ストリップ２３０６は、第２の磁気ストリップ２３１４に磁気的に引き付けられてもよい。第２の構成では、第１の磁気ストリップ２３０６の磁石は、同じ磁気極性を有する第２の磁気ストリップ２３１４の磁石と整列されてもよく、第１の磁気ストリップ２３０６は、第２の磁気ストリップ２３１４から磁気的に反発されてもよい。第２の磁気ストリップ２３１４は、レール２３１２に対して第２の磁気ストリップ２３１４をスライドさせることにより、第１の構成から第２の構成に移行されることができる。したがって、第１の構成にあるとき、磁気閉鎖部２３０１は、閉鎖構成にあり、開口２３０４は、密封されている。第２の構成にあるとき、磁気閉鎖部２３０１は、開放構成にあり、開口２３０４は、密封されていない。そのため、レール２３１２に対する第２の磁気ストリップ２３１４のスライド可能な動きは、ユーザが第１の磁気ストリップ２３０６を第２の磁気ストリップ２３１４から引き離すのに必要とされることができる低減した手動力を使用して、磁石を互いに手動で外すことを可能にすることができる。１つの例では、矢印２３５０は、第２の磁気ストリップ２３１４を閉鎖構成にスライドさせる運動方向を概略的に示し、矢印２３５２は、第２の磁気ストリップ２３１４を開放構成にスライドさせる運動方向を概略的に示している。
【０１０４】
磁気閉鎖機構２３０６は、レール２３１２に沿って第１の磁気ストリップ２３０６に対して第２の磁気ストリップ２３１４を手動でスライドまたはねじるために使用できるタブ要素２３２０をさらに含むことができる。このタブ要素２３２０は、織物ループまたはポリマー把持要素を含んでもよい。しかしながら、これらの開示の範囲から逸脱することなく、追加的なまたは代替的な実装が使用されることができることが想定される。
【０１０５】
図２４Ａおよび図２４Ｂは、本明細書に記載される１つまたは複数の態様にかかる、図２３に関して説明したものと同様の磁気閉鎖機構を概略的に示している。具体的には、図２４Ａは、第１の磁気ストリップ２３０４および第２の磁気ストリップ２３０６を有する磁気閉鎖機構２４００を概略的に示している。第２の磁気ストリップ２３０６は、第１の磁気ストリップ２３０４に対してスライド可能に構成される。さらに、第１の磁気ストリップ２３０４および第２の磁気ストリップ２３０６のそれぞれは、交互の磁気極性を有する外面を有する一連の磁石を含む。図２４Ａの第１の構成では、第１の磁気ストリップ２３０４は、磁石の外面が反対の磁気極性の磁石の外面に面するように第２の磁気ストリップ２３０６と位置合わせされる。この第１の構成は、第１の磁気ストリップ２３０４と第２の磁気ストリップ２３０６との間の磁気引力をもたらす。
【０１０６】
図２４Ｂは、第２の構成の第１の磁気ストリップ２３０４および第２の磁気ストリップ２３０６を概略的に示している。図２４Ｂに示されるように、第２の磁気ストリップ２３０６は、互いに面している第１の磁気ストリップおよび第２の磁気ストリップの磁石の外面が同じ磁気極性を有するように第１の磁気ストリップ２３０４に対して移動している。この第２の構成は、第２の磁気ストリップ２３０６から磁気的に反発される第１の磁気ストリップ２３０４をもたらす。したがって、図２４Ｂに示される第２の構成は、開放構成における磁気閉鎖機構２４００を示している。第１の磁気ストリップ２３０４が第２の磁気ストリップ２３０６から反発されるとき、容器は、開放位置に維持されることができる。これは、ユーザが容器内の内容物を示し且つ容器内の内容物に容易にアクセスすることができることを可能にする。
【０１０７】
図２５は、本明細書に記載の１つまたは複数の態様にかかる、磁気閉鎖機構２５０２を有する容器２５００の他の実装を概略的に示している。容器２５００は、これらの開示全体にわたって説明される容器と同様とすることができる。１つの例では、容器２５００は、断熱容器である。追加的にまたは代替的に、容器２５００は、実質的に耐水性または防水性の外シェル２５０４を有してもよい。図２５には図示されていないが、外シェル２５０４は、これらの開示全体にわたって説明される容器の形状および／または特徴のいずれかを含むことができ、とりわけ、前部、後部、側部、および基部を含むことができる。１つの実装では、図２５は、内部収納区画２５０６を有する容器２５００の上部の断面図を概略的に示している。収納区画２５０６は、内側ライナー２５０８によって形成されてもよい。さらに、容器２５００は、外シェル２５０４と内側ライナー２５０８との間に配置された１つまたは複数の層の断熱材２５１０を含んでもよい。
【０１０８】
容器は、収納区画２５０６内に延びる開口２５１２を含んでもよい。図２５に示されるように、開口２５１２は、磁気閉鎖機構２５０２によって再密封可能に密封される。したがって、磁気閉鎖機構２５０２は、開口２５１２の第１の側において容器２５００の内部面に結合された第１の磁気ストリップ２５１４を含むことができる。１つの例では、第１の磁気ストリップ２５１４は、容器２５００の内部面に実質的に堅く結合されている。さらに、磁気閉鎖機構２５０２は、磁気ストリップ上面２５１８および磁気ストリップ底面２５２０を有する第２の磁気ストリップ２５１６を含む。第２の磁気ストリップ上面２５１８は、開口２５１２の第２の側面に結合されることができ、第２の磁気ストリップ底面２５２０は、第２の磁気ストリップ２５１６が第１の磁気ストリップ２５１４に対して屈曲および回動することができるように容器２５００に取り付けられない。したがって、第２の磁気ストリップ上面２５１８は、とりわけ、織物要素または可撓性ポリマー要素を含むことができる屈曲要素によって容器２５００に結合されることができる。
【０１０９】
磁気閉鎖機構２５０２は、第３の磁気ストリップ２５２２をさらに含むことができる。第３の磁気ストリップ２５２２は、第３の磁気ストリップ上面２５２４および第３の磁気ストリップ底面２５２６を含むことができる。第３の磁気ストリップ上面２５２４は、開口２５１２の第２の側面に結合されることができ、第３の磁気ストリップ底面２５２６は、第３の磁気ストリップ２５２２が第１の磁気ストリップ２５１４に対して屈曲および回動することができるように容器２５００に取り付けられない。したがって、第３の磁気ストリップ上面２５２４は、とりわけ、織物要素または可撓性ポリマー要素を含むことができる屈曲要素によって容器２５００に結合されることができる。
【０１１０】
図２５に示されている閉鎖構成では、第２の磁気ストリップ２５１６は、収納区画２５０６内で第１の磁気ストリップ２５１４に磁気的に結合されるように構成されてもよい。さらに、図２５に示されている閉鎖構成の場合、第３の磁気ストリップ２５２２は、容器２５００の外シェル２５０４の外部面において第１の磁気ストリップ２５１４に磁気的に結合されるように構成されてもよい。
【０１１１】
図２６は、本明細書に記載の１つまたは複数の態様にかかる、磁気閉鎖部２６００の１つの実装の断面図を概略的に示している。磁気閉鎖部２６００は、本開示全体にわたって説明される閉鎖部および／または容器のいずれかとともに使用されることができることが想定される。磁気閉鎖部２６００は、磁気的に互いに結合されて容器の開口を密封するように構成されることができる２つの磁気ストリップ２６０２ａおよび２６０２ｂを含むことができる。磁気ストリップ２６０２ａおよび２６０２ｂのそれぞれは、単一の連続磁気要素、一連の離散磁気要素、または磁気要素のアレイを含むことができる。さらに、磁気要素は、永久磁石、または磁気的に磁石に引き付けられる金属材料を含むことができる。
【０１１２】
磁気ストリップ２６０２ａおよび２６０２ｂのそれぞれは、シェル材料２６０６によって封入された１つまたは複数の磁気要素２６０４を含むことができる。シェル材料２６０６は、とりわけ、１つまたは複数のポリマー、合金、セラミック、または繊維強化材料を含むことができる。さらに、それぞれの磁気ストリップ２６０２ａおよび２６０２ｂの磁気結合表面２６０８ａおよび２６０８ｂは、平面形状を有してもよい。他の実装では、磁気ストリップ２６０２ａおよび２６０２ｂは、それぞれ、平面２６０８ａおよび２６０８ｂ自体が磁性であるように、隣接する磁性材料から形成されてもよい。
【０１１３】
図２７は、本明細書に記載の１つまたは複数の態様にかかる、磁気閉鎖部２７００の他の実装の断面図を概略的に示している。磁気閉鎖部２７００は、本開示全体にわたって説明される閉鎖部および／または容器のいずれかとともに使用されることができることが想定される。磁気閉鎖部２７００は、磁気的に互いに結合されて容器の開口を密封するように構成されることができる２つの磁気ストリップ２７０２ａおよび２７０２ｂを含むことができる。磁気ストリップ２７０２ａおよび２７０２ｂのそれぞれは、単一の連続磁気要素、一連の離散磁気要素、または磁気要素のアレイを含むことができる。
【０１１４】
磁気ストリップ２７０２ａおよび２７０２ｂのそれぞれは、シェル材料２７０６によって封入された１つまたは複数の磁気要素２７０４を含むことができる。シェル材料２７０６は、とりわけ、１つまたは複数のポリマー、合金、セラミック、または繊維強化材料を含むことができる。さらに、それぞれの磁気ストリップ２７０２ａおよび２７０２ｂの磁気結合表面２７０８ａおよび２７０８ｂは、非平面形状を有してもよい。特定の例では、磁気結合表面２７０８ａおよび２７０８ｂは、嵌合または相補的な形状を有することができる。さらに、磁気結合表面２７０８ａおよび２７０８ｂは、うねり、さざ波状、鋸歯状、波状、またはジグザグ表面形状を有してもよい。さらに、磁気結合表面２７０８ａおよび２７０８ｂの表面形状は、不規則的または規則的な表面特徴（うねり、さざ波、鋸歯、波、またはジグザグなど）とすることができる。有利には、磁気結合表面の非平面表面形状２７０８ａおよび２７０８ｂは、磁気ストリップ２７０２ａおよび２７０２ｂの互いに対する滑りを低減または防止することができる。これは、次に、磁気ストリップ２７０２ａと２７０２ｂとの間の磁気引力によって形成される磁気シールの強度および／または有効性を増加させることができる。他の実装では、磁気ストリップ２７０２ａおよび２７０２ｂは、それぞれ、非平面状表面２７０８ａおよび２７０８ｂ自体が磁性であるように、隣接する磁性材料から形成されてもよい。１つの例では、磁気ストリップ２７０２ａおよび２７０２ｂは、射出成形または押出成形によって形成されることができる。磁気ストリップ２７０２ａおよび２７０２ｂの嵌合形状は、シールの破損を防ぐように構成されることができる。
【０１１５】
図２８は、本明細書に記載の１つまたは複数の態様にかかる、磁気閉鎖機構を含む他の例示的な容器を示している。容器２８００は、ヒンジ付き蓋２８０６によって再密封可能に密封される収納区画２８０２を有する断熱容器として実装されてもよい。容器２８００は、「断熱装置および断熱装置を形成する方法」と題される２０１６年９月９日に出願された米国特許出願第１５／２６１，４０７号に記載された１つまたは複数の容器と同様とすることができ、その全内容は、あらゆる非限定的な目的のために参照することにより本明細書に組み込まれる。蓋閉鎖部２８０４は、内側磁気閉鎖機構と外側ジッパー機構との組み合わせを使用して、収納区画２８０２を再密封可能に密封することができる。１つの例では、この組み合わされた閉鎖部は、内側磁気ストリップ６０６および６０８と組み合わせた外側ジッパーアセンブリ６１４を含む図６の閉鎖部と同様とすることができる。１つの例では、磁気ストリップ６０６および６０８は、希土類磁石が埋め込まれた射出成形されたＴＰＵとすることができる。磁石は、閉鎖部の位置合わせおよびシール力をもたらすのに役立つ。磁気ストリップ６０６および６０８の形状は、妥当な高さから落下したときに無傷のままである強力なシールを形成することができる。また、このシールの形状は、熱性能を向上させ且つ「サーマルブリッジ」効果を排除するように断熱空間を形成する。前面の追加のプルタブは、蓋２８０６の開口点を可能にする。さらに、プルタブ２８０８および容器２８００には、蓋が不注意に開くのを防ぐための１つまたは複数の嵌合特徴を設けることができる。
【０１１６】
図２９は、本明細書に記載の１つまたは複数の態様にかかる、容器２８００の閉鎖機構の一部の断面図を概略的に示している。１つの例では、閉鎖機構は、ジッパーアセンブリ６０４ならびに内部磁気ストリップ６０６および６０８を含む。磁気ストリップ６０６および６０８は、ジッパーアセンブリ６０４が閉鎖構成にあるかどうかにかかわらず、互いに磁気的に結合されることができる。したがって、磁気ストリップ６０６および６０８は、蓋２８０４を収納区画２８０２に再密封可能に密封するために使用されることができ、このシールは、閉鎖構成に配置されると、ジッパーアセンブリ６０４によってさらに補強される。
【０１１７】
１つの実装では、容器は、前部、後部、側部、および基部を有する耐水性材料から形成された外シェルを含むことができる。外シェルはまた、収納区画内に延びる容器の上部にある開口と、閉鎖機構とを有することができる。閉鎖機構はまた、開口の前縁において前部の内部面に結合された第１の磁気ストリップを含むことができる。さらに、閉鎖機構は、開口の後縁において後部の内部面に結合された第２の磁気ストリップを含むことができる。さらに、閉鎖機構は、後部から開口の後縁の上方に延びるフラップ部を含むことができ、第１のファスナ要素は、フラップ部に結合される。第２のファスナ要素は、前部の外部面に結合されることができる。したがって、第１の磁気ストリップは、第２の磁気ストリップに磁気的に引き付けられて開口を再密封可能に密封することができ、外シェルは、折り畳まれて第１のファスナ要素を第２のファスナ要素に取り外し可能に結合するように構成されることができる。
【０１１８】
１つの例では、第２の磁気ストリップ上の第１の磁気ストリップは、開口のそれぞれの前縁および後縁においてヒンジ結合されてもよい。
【０１１９】
他の例では、第１の磁気ストリップおよび第２の磁気ストリップの少なくとも１つは、開口のそれぞれの前縁および後縁においてヒンジ結合されてもよい。
【０１２０】
さらに他の例では、第１のファスナ要素は、面ファスナによって第２のファスナ要素に取り外し可能に結合されてもよい。
【０１２１】
さらに、第１のファスナ要素および第２のファスナ要素は、磁石を含むことができる。
【０１２２】
容器は、後部の内部背面に結合された内部スリップポケットをさらに含むことができる。
【０１２３】
容器は、前部の内部前面に結合された内部ジップポケットをさらに含んでもよい。
【０１２４】
容器は、容器を外部構造に取り外し可能に結合するために利用されることができる、外シェルの後部に結合されたストラップをさらに有してもよい。１つの例では、外部構造は、断熱容器とすることができる。
【０１２５】
他の例では、容器は、一体に溶接された２つ以上のサブパネルから構成されてもよい。例えばＲＦ溶接による。
【０１２６】
他の実装では、容器は、前面シェル、前面シェルの内周の周りに延びる前面フレーム、背面シェル、背面シェルの内周の周りに延びる背面フレームを含み、底面において前面フレームにヒンジ結合されてもよい。容器はまた、背面シェルを前面シェルに再密封可能に密封するように構成された閉鎖機構を含んでもよい。閉鎖機構は、さらに、前面フレームの少なくとも第１の部分の周りに延びる前面磁気ストリップと、背面フレームの少なくとも第１の部分の周りに延びる背面磁気ストリップとを含むことができる。さらに、閉鎖機構は、少なくとも前面フレームの第２の部分および背面フレームの第２の部分の周りに延びるジッパーを含むことができる。
【０１２７】
１つの例では、前面フレームおよび背面フレームは、１つまたは複数のエラストマーから構成されてもよい。
【０１２８】
他の例では、前面磁気ストリップおよび背面磁気ストリップは、それぞれの前面フレームおよび背面フレーム内のチャネル内に封入されてもよい。
【０１２９】
さらに他の例では、閉鎖機構はまた、前面磁気ストリップが背面磁気ストリップに磁気的に結合されるときに形成されるジッパートラフを含んでもよい。
【０１３０】
ジッパーはまた、少なくとも前面フレームの第２の部分および背面フレームの第２の部分に結合された伸縮可能なジッパーテープを含んでもよい。
【０１３１】
さらに、ジッパーが閉じられると、ジッパーテープの少なくとも前面フレームの第２の部分および背面フレームの第２の部分への伸縮可能な結合は、前面磁気ストリップおよび背面磁気ストリップを互いに向かって付勢する圧縮力を及ぼすことができる。
【０１３２】
他の例では、前面シェルおよび背面シェルの少なくとも１つは、一体に溶接された２つ以上のサブパネルを有する。
【０１３３】
容器はまた、把持面をもたらし、前面磁気ストリップを背面磁気ストリップから手動で切り離すように構成されたプルタブを含んでもよい。
【０１３４】
さらに、背面磁気ストリップ内の前面磁気ストリップは、それぞれ、複数の磁気要素を有することができる。
【０１３５】
１つの実装では、容器は、耐水性材料から形成され、前部、後部、側部、および基部を有する外シェルを含むことができる。外シェルは、収納区画内に延びる容器の上部に開口をさらに含んでもよい。開口は、完全に開放したときに、前面、背面、第１の側面、および第２の側面を有する実質的に直線的な形状を有してもよい。容器はまた、開口を密封するために、開放構成と閉鎖構成との間で折り畳まれ得ることができる折り畳み式磁気カラーを有する閉鎖機構を含むことができる。
【０１３６】
折り畳み式磁気カラーは、開口の前面の第１の端部と第２の端部との間に直線的に延びる前面カラー部材を有してもよい。前面カラー部材はまた、開口の背面に向かって延びる突起と、開口の背面に面する第１の磁気表面とを有する。前面カラー部材はまた、突起によって第３の磁気表面から離間した第２の磁気表面を有してもよい。折り畳み式磁気カラーは、開口の背面の第１の端部と第２の端部との間に直線的に延びる背面カラー部材をさらに含むことができる。背面カラー部材は、開口の前面に向かって延びる突起と、開口の前面に面する第１の磁気表面とを有してもよい。背面カラー部材Ｉはまた、突起によって第３の磁気表面から離間した第２の磁気表面を有する。
【０１３７】
さらに、折り畳み式磁気カラーは、開口の第１の側面に沿って延び、且つ前面カラー部材の第１の端部および背面カラー部材の第１の端部にヒンジ結合された第１の側部カラー部材を有することができる。第１の側部カラー部材はまた、第１の磁気要素を第２の磁気要素から分離する中央ヒンジを含むことができる。第２の側部カラー部材は、開口の第２の側部に沿って延びてもよい。開口の第２の側面は、前面カラー部材の第２の端部および背面カラー部材の第２の端部にヒンジ止めされてもよい。第２の側部カラー部材はまた、第１の磁気要素を第２の磁気要素から分離する中央ヒンジを含むことができる。
【０１３８】
開口が完全に開放しているとき、前面カラー部材、背面カラー部材、第１の側部カラー部材、および第２の側部カラー部材は、実質的に直線的な構成で配置されてもよい。折り畳まれたとき、第１の側部カラー部材の中央ヒンジは、第１の側部カラー部材の第１の磁気要素および第２の磁気要素をヒンジで互いに接触させることができる。さらに、前面カラー部材の第１の端部および背面カラー部材の第１の端部への第１の側部カラー部材のヒンジ取り付けは、第１の側部カラー部材の第１の磁気要素および第２の磁気要素をヒンジで前面カラー部材の第２の磁気表面および背面カラー部材の第２の磁気表面と接触させることができる。
【０１３９】
折り畳まれると、第２の側部カラー部材の中央ヒンジは、第２の側部カラー部材の第１の磁気要素および第２の磁気要素をヒンジで互いに接触させることができ、第２の側部カラー部材の前面カラー部材の第２の端部へのヒンジ取り付けおよび背面カラー部材の第２の端部へのヒンジ取り付けは、第２の側部カラー部材の第１の磁気要素および第２の磁気要素をヒンジで前面カラー部材の第３の磁気表面および背面カラー部材の第３の磁気表面と接触させることができる。
【０１４０】
折り畳まれると、第１の側部カラー部材の中央ヒンジおよび第２の側部カラー部材の中央ヒンジは、前面カラー部材の第１の磁気表面および第２の磁気表面をヒンジで背面カラー部材のそれぞれの第１の磁気表面および第２の磁気表面と接触させることができる。
【０１４１】
１つの例では、容器の収納区画は、断熱容器である。
【０１４２】
他の例では、容器の収納区画は、内側ライナーを含む。
【０１４３】
容器は、外シェルと内側ライナーとの間に断熱層を含んでもよく、断熱層は、収納区画の断熱をもたらす。
【０１４４】
断熱層は、容器の内側ライナーと外シェルとの間に浮いていてもよい。
【０１４５】
断熱層は、内側ライナーおよび外シェルの少なくとも一方に取り付けられてもよい。
【０１４６】
容器の外シェルは、一体に溶接された２つ以上のサブパネルから構成されることができる。
【０１４７】
容器の閉鎖機構は、閉鎖構成に配置されたとき、実質的に防水性で気密とすることができる。
【０１４８】
他の実装では、容器は、耐水性材料から形成され、前部、後部、側部、および基部を有する外シェルを含むことができる。外シェルはまた、収納区画内に延びる容器の上部に開口を有してもよい。容器はまた、長手方向軸に沿って延び且つ開口の第１の側面に取り付けられた第１の磁気ストリップを有する閉鎖機構を含むことができ、第１の磁気ストリップは、長手方向軸に沿って離間した第１の磁石および第２の磁石を有することができる。閉鎖機構はまた、長手方向軸に沿って延びる第２の磁気ストリップを含んでもよい。第２の磁気ストリップは、長手方向軸に沿って離間した第１の磁石および第２の磁石を有してもよい。閉鎖機構はまた、長手方向軸に沿って延在し且つ開口の第２の側面に結合されたレールを含んでもよい。第２の磁気ストリップは、第２の磁気ストリップがレールに対してスライド可能であり、第２の磁気ストリップの長手方向軸がレールの長手方向軸に平行であるように、レールにスライド可能に取り付けられることができる。第１の磁気ストリップの第１の磁石および第２の磁石は、反対の磁気極性を有するそれぞれの第１の外面および第２の外面を有してもよい。第２の磁気ストリップの第１の磁石および第２の磁石は、第１の磁気ストリップの第１の外面および第２の外面が第２の磁気ストリップの第１の外面および第２の外面に面するように、反対の磁気極性を有するそれぞれの第１の外面および第２の外面を有することができる。第１の構成にあるとき、第１の磁気ストリップの第１の磁石および第２の磁石は、第２の磁気ストリップの第１の磁石および第２の磁石に磁気的に引き付けられることができる。第２の磁気ストリップが第１の磁気ストリップに対して第２の構成に配置されると、第１の磁気ストリップの第１の磁石および第２の磁石は、第１の磁気ストリップ上の同じ極性の磁石と位置合わせされて、第２の磁気ストリップを第１の磁気ストリップから磁気的に反発させることができる。
【０１４９】
他の例では、第２の磁気ストリップは、とりわけ、回転、回動、折り畳みなど、スライド以外の動きによって第１の磁気ストリップに対して移動可能であってもよい。
【０１５０】
１つの実装では、容器は、耐水性材料から形成され、前部、後部、側部、および基部を有する外シェルを含むことができる。外シェルはまた、収納区画内に延びる容器の上部に開口を有してもよい。容器はまた、開口の第１の側において容器の内面に取り付けられた第１の磁気ストリップを有する閉鎖機構も含むことができる。第２の磁気ストリップは、第２の磁気ストリップ上面が開口の第２の側に取り付けられ、且つ第２の磁気ストリップ底面が外シェルに取り付けられないように、第２の磁気ストリップ上面および第２の磁気ストリップ底面を有することができる。閉鎖機構はまた、第３の磁気ストリップ上面が開口の第２の側に結合され、且つ第３の磁気ストリップ底面が外シェルに取り付けられないように、第３の磁気ストリップ上面および第３の磁気ストリップ底面を有する第３の磁気ストリップを含むことができる。第２の磁気ストリップは、区画内で第１の磁気ストリップに磁気的に取り付けられるように構成されることができ、第３の磁気ストリップは、容器の外面において第１の磁気ストリップに磁気的に取り付けられるように構成されることができる。
【０１５１】
１つの実装では、容器は、耐水性材料から形成され、前部、後部、側部、および基部を有する外シェルを含むことができる。外シェルはまた、収納区画内に延びる容器の上部に開口を有してもよい。容器はまた、第１の長手方向軸に沿って延在し且つ開口の第１の側面に取り付けられた第１の磁気ストリップを有する閉鎖機構を含むことができる。第１の磁気ストリップは、起伏のある表面形状を有する第１の外面を有することができる。閉鎖機構はまた、第１の長手方向軸に沿って延びる第２の磁気ストリップを含むことができ、第２の磁気ストリップは、第１の磁気ストリップの第１の外面に相補的であり、且つ第１の磁気ストリップの第１の外面に磁気的に取り付けられるように構成された起伏のある表面形状を有する第２の外面を有することができる。
【０１５２】
１つの例では、第１の外面または第２の外面は、磁化されていてもよい。
【０１５３】
他の例では、第２の外面の第１の外面は、磁性材料を少なくとも部分的に封入する非磁性外シェル材料を含むことができる。
【０１５４】
１つの実装では、容器は、耐水性材料から形成され、前部、後部、側部、および基部を有する外シェルを含むことができる。外シェルはまた、収納区画内に延びる容器の上部に開口を有してもよい。容器はまた、開口の前縁において前部の内面に取り付けられた第１の磁気ストリップを有する閉鎖機構を含んでもよい。閉鎖機構はまた、開口の後縁において後部の内面に取り付けられた第２の磁気ストリップを含んでもよい。さらに、第３の磁気ストリップは、開口の後縁の上の後部から延びるフラップ部に取り付けられてもよい。さらに、磁気パネルは、前部の外面に取り付けられてもよい。第１の磁気ストリップは、第２の磁気ストリップに磁気的に引き付けられることができ、第３の磁気ストリップは、磁気パネルに磁気的に引き付けられて、開口を再密封可能に密封することができる。外シェルは、折り畳まれて第３の磁気要素を磁気パネルに取り外し可能に結合するように構成されてもよい。
【０１５５】
１つの実装では、容器は、第１の側壁を画定する外シェル、収納区画を形成する内側ライナー、外シェルと内側ライナーとの間に配置された断熱層、および収納区画へのアクセスを可能にする開口を含むことができる。容器はまた、開口を密封する閉鎖部も含むことができる。閉鎖部は、容器が任意の向きにあるとき、実質的に防水であってもよい。閉鎖部は、取っ手と、内側ライナー、断熱層、および外シェルよりも剛性の高い補強層とを有する蓋アセンブリを含んでもよい。閉鎖部はまた、蓋アセンブリの少なくとも一部および開口の上縁の周りに延びる外側閉鎖機構を含んでもよい。閉鎖部はまた、蓋アセンブリの少なくとも一部に沿って延びる上部磁気ストリップと、開口の上縁の少なくとも一部に沿って延びる下部磁気ストリップとを有する内側閉鎖機構を含んでもよい。
【０１５６】
容器の外シェルはまた、第２の側壁および第３の側壁を含むことができ、開口は、第１の側壁、第２の側壁、および第３の側壁を通って延在することができる。
【０１５７】
容器は、直方体の形態に成形されてもよい。
【０１５８】
容器の内側ライナーおよび外シェルは、ガス用の通気口を含む接合部を形成してもよい。
【０１５９】
容器の外シェルは、１つまたは複数の取っ手を含んでもよく、通気口は、１つまたは複数の取っ手の位置に隣接して形成されてもよい。
【０１６０】
容器の閉鎖部は、実質的に防水性とすることができ、断熱装置が水で完全に満たされ且つ６フィートの距離から落下したときに、液体が開口から出るのを防ぐことができる。
【０１６１】
容器の外シェルは、内側ライナーが第１の平面に垂直な第２の平面において外シェルに固定されるように、第１の平面に延びる底壁を画定してもよい。
【０１６２】
内側ライナーは、第１の片部および第２の片部から形成されてもよく、第１の片部は、継ぎ目を画定する溶接によって第２の片部に接合されてもよい。継ぎ目は、継ぎ目テープによって覆われていてもよい。
【０１６３】
容器の内側ライナーは、射出成形によって形成されてもよい。
【０１６４】
外側閉鎖機構は、ジッパープルを含むジッパーであってもよい。ジッパーは、実質的に防水性であってもよい。
【０１６５】
容器は、本体アセンブリも含むことができる。
【０１６６】
蓋アセンブリおよび本体アセンブリは、容器の内側ライナー、断熱層、および外シェルを形成してもよい。
【０１６７】
蓋アセンブリは、容器の断熱層の少なくとも一部を含んでもよい。
【０１６８】
断熱層は、内側ライナーと外シェルとの間に浮いていてよい。
【０１６９】
断熱層は、内側ライナーまたは外シェルに取り付けられてもよい。
【０１７０】
本開示は、上記を開示し、様々な例を参照する図面を添付している。しかしながら、この開示の目的は、この開示の範囲に限定されるわけではなく、この開示に関係する様々な特徴および概念の例を提供することである。当業者であれば、上記で述べた例に対し数多くの変形および変更が、本開示の範囲を逸脱することなく、なされ得ると認識するであろう。
【図１】
2020509817.tif 000003
【図２】
2020509817.tif 000004
【図３Ａ】
2020509817.tif 000005
【図３Ｂ】
2020509817.tif 000006
【図４】
2020509817.tif 000007
【図５】
2020509817.tif 000008
【図６】
2020509817.tif 000009
【図７】
2020509817.tif 000010
【図８Ａ−８Ｂ】
2020509817.tif 000011
【図９Ａ】
2020509817.tif 000012
【図９Ｂ】
2020509817.tif 000013
【図９Ｃ】
2020509817.tif 000014
【図１０】
2020509817.tif 000015
【図１１】
2020509817.tif 000016
【図１２】
2020509817.tif 000017
【図１３Ａ−１３Ｂ】
2020509817.tif 000018
【図１３Ｃ】
2020509817.tif 000019
【図１３Ｄ】
2020509817.tif 000020
【図１４】
2020509817.tif 000021
【図１５】
2020509817.tif 000022
【図１６】
2020509817.tif 000023
【図１７Ａ】
2020509817.tif 000024
【図１７Ｂ】
2020509817.tif 000025
【図１８Ａ】
2020509817.tif 000026
【図１８Ｂ】
2020509817.tif 000027
【図１９】
2020509817.tif 000028
【図２０】
2020509817.tif 000029
【図２１Ａ】
2020509817.tif 000030
【図２１Ｂ】
2020509817.tif 000031
【図２２】
2020509817.tif 000032
【図２３】
2020509817.tif 000033
【図２４Ａ】
2020509817.tif 000034
【図２４Ｂ】
2020509817.tif 000035
【図２５】
2020509817.tif 000036
【図２６】
2020509817.tif 000037
【図２７】
2020509817.tif 000038
【図２８−２９】
2020509817.tif 000039
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
容器であって、
耐水性材料から形成され、前部、後部、側部、および基部を有する外シェルを備え、前記外シェルが、さらに、
前記容器の上部にある開口であって、収納区画内に延びる開口と、
閉鎖機構とを備え、前記閉鎖機構が、さらに、
前記開口の前縁において前記前部の内部面に結合された第１の磁気ストリップと、
前記開口の後縁において前記後部の内部面に結合された第２の磁気ストリップと、
前記後部から前記開口の前記後縁の上方に延びるフラップ部であって、第１のファスナ要素を有するフラップ部と、
前記前部の外部面に結合される第２のファスナ要素とを備え、
前記第１の磁気ストリップが、前記第２の磁気ストリップに磁気的に引き付けられて前記開口を再密封可能に密封し、
前記外シェルが、折り畳まれて前記第１のファスナ要素を前記第２のファスナ要素に取り外し可能に結合するように構成される、容器。
【請求項２】
前記第１の磁気ストリップが、第１の磁気ストリップ上面および第１の磁気ストリップ底面を有し、前記第２の磁気ストリップが、第２の磁気ストリップ上面および第２の磁気ストリップ底面を有し、前記第１の磁気ストリップ上面が、前記開口の前記前縁において前記前部の前記内部面に結合され、前記第２の磁気ストリップ上面が、前記開口の前記後縁において前記後部の前記内部面に結合され、前記第１の磁気ストリップ底面および前記第２の磁気ストリップ底面のうちの少なくとも１つは、前記外シェルに取り付けられていない、請求項１に記載の容器。
【請求項３】
前記第１の磁気ストリップおよび前記第２の磁気ストリップが、前記開口のそれぞれの前縁および後縁においてヒンジ結合される、請求項１に記載の容器。
【請求項４】
前記第１の磁気ストリップおよび前記第２の磁気ストリップのうちの少なくとも１つが、前記開口のそれぞれの前縁および後縁においてヒンジ結合される、請求項１に記載の容器。
【請求項５】
前記第１のファスナ要素が、面ファスナによって前記第２のファスナ要素に取り外し可能に結合されるように構成される、請求項１に記載の容器。
【請求項６】
前記第１のファスナ要素および前記第２のファスナ要素が磁石を備える、請求項１に記載の容器。
【請求項７】
前記後部の内部面に結合された内部ポケットをさらに備える、請求項１に記載の容器。
【請求項８】
前記外シェルの前記後部に結合され、前記容器を外部構造に取り外し可能に結合するように構成されたストラップをさらに備える、請求項１に記載の容器。
【請求項９】
前記外部構造が断熱容器である、請求項８に記載の容器。
【請求項１０】
前記外シェルが、一体に溶接された２つ以上のサブパネルを備える、請求項１に記載の容器。
【請求項１１】
前記収納区画を形成する内側ライナーをさらに備える、請求項１に記載の容器。
【請求項１２】
前記外シェルと前記内側ライナーとの間に配置された断熱層をさらに備え、前記断熱層が、前記収納区画に断熱性をもたらす、請求項１１に記載の容器。
【請求項１３】
前記断熱層が、前記内側ライナーと前記外シェルとの間に浮いている、請求項１２に記載の容器。
【請求項１４】
前記閉鎖機構が、閉鎖構成にあるとき、実質的に防水および気密になるように構成されている、請求項１に記載の容器。
【請求項１５】
前記第１の磁気ストリップが、起伏のある表面形状を有する第１の外面を有し、
前記第２の磁気ストリップが、第２の外面を有し、
前記第２の外面は、前記第１の磁気ストリップの前記第１の外面に相補的な起伏のある表面形状を有し、且つ前記第１の磁気ストリップの前記第１の外面と磁気的に結合するように構成されている、請求項１に記載の容器。
【国際調査報告】
2020509817.tif 000040
2020509817.tif 000041
2020509817.tif 000042
2020509817.tif 000043